【事件の表示】
　特許第３１２５９２４号「プリンタ」の請求項１ないし７に係る特許に対する特許異議の申立てについて、次のとおり決定する。
【結　論】
　訂正を認める。
　特許第３１２５９２４号の請求項１ないし２に係る特許を維持する。
【理　由】
１．手続の経緯
　特許第３１２５９２４号（以下、「本件」という。）の特許請求の範囲の請求項１乃至７に係る発明の特許に対し、平成１３年７月２３日付けで特許異議申立人相原光政より請求項１乃至７に係る発明の特許は取り消すべきものである旨を申立の趣旨とする特許異議申立がなされ、同日付けで特許異議申立人戸叶孝一より請求項１、４乃至７に係る発明の特許は取り消すべきものである旨を申立の趣旨とする特許異議申立がなされ、平成１３年１１月９日付けで戸叶孝一宛審尋がなされ、平成１３年１２月１４日付けで戸叶孝一より特許異議審尋回答書があり、平成１４年４月１１日付けで取消理由通知がなされ、その指定期間である平成１４年６月２４日付けで訂正請求書が意見書と共に提出され、更に平成１４年７月８日付けで特許異議申立人双方に対して審尋がなされ、平成１４年８月１２日付けで戸叶孝一より特許異議審尋回答書が、平成１４年８月１９日付けで相原光政より回答書が提出されたものである。
２．訂正の適否についての判断
（１）．訂正の内容
　本件の訂正の内容は、次のａ．乃至ｈ．のとおりである。
ａ．訂正事項ａ
　訂正事項ａは、【発明の名称】、段落【０００１】、及び【０００７】乃至【００１１】における「プリンタ、印刷方法及び記録媒体」を、「プリンタ」と訂正するものである。
ｂ．訂正事項ｂ
　訂正事項ｂは、【特許請求の範囲】の請求項３ないし７を削除する訂正である。
ｃ．訂正事項ｃ
　訂正事項ｃは、【特許請求の範囲】の請求項１における「記録媒体に保存されているサムネイル画像」を、「記録媒体に保存されている画像データ及びサムネイル画像」（以下、「訂正事項ｃ１」という。）と訂正し、請求項１における「データ取得部と、」と「前記データ取得部のサムネイル画像データに基づいて」の間に「前記画像データの識別コードを表示する表示部と、前記表示された識別コードを切り替える画像選択手段と、」（以下、「訂正事項ｃ２」という。）を挿入して訂正し、請求項１における「１枚の紙に」を「紙１枚につき」（以下、「訂正事項ｃ３」という。）と訂正し、更に、請求項１における「複数のサムネイル画像及びそれぞれのサムネイル画像に対応する識別コードを印刷するように前記印刷部及び搬送部を制御する制御部と、」を「複数のサムネイル画像及びそれぞれのサムネイル画像に対応する識別コードを印刷するように前記印刷部及び搬送部を制御し、前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、前記表示部に表示された識別コードに対応する前記画像データを印刷するように前記印刷部及び前記搬送部を制御する制御部と、」（以下、「訂正事項ｃ４」という。）と訂正することによって、請求項1の全体を「印刷を行う印刷部と、前記印刷部に紙を搬送する搬送部とを備えるプリンタであって、脱着可能な記録媒体に保存されている画像データ及びサムネイル画像データを取得するデータ取得部と、前記画像データの識別コードを表示する表示部と、前記表示された識別コードを切り替える画像選択手段と、前記サムネイル画像データに基づいて紙1枚につき複数のサムネイル画像及びそれぞれのサムネイル画像に対応する識別コードを印刷するように前記印刷部及び搬送部を制御し、前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、前記表示部に表示された識別コードに対応する前記画像データを印刷するように前記印刷部及び前記搬送部を制御する制御部と、を備えることを特徴とするプリンタ。」とするものである。
ｄ．訂正事項ｄ
　訂正事項ｄは、【特許請求の範囲】の請求項２における「前記データ取得部は、前記記録媒体から画像データを取得し、前記制御部は、前記データ取得部の画像データに基づいて前記印刷部及び搬送部を制御することを特徴とする請求項1記載のプリンタ。」を、「前記制御部は、前記データ取得部が前記記録媒体からサムネイル画像データを取得するときは当該サムネイル画像データに基づいて粗い画質で高速印刷するように前記印刷部及び搬送部を制御し、前記データ取得部が前記表示部に表示された識別コードに対応する前記画像データを前記記録媒体から取得するときは、当該画像データに基づいて高画質で印刷するように前記印刷部及び搬送部を制御することを特徴とする請求項1記載のプリンタ。」と訂正するものである。
ｅ．訂正事項ｅ
　訂正事項ｅは、本件の明細書の段落【００１２】における「脱着可能な記録媒体に保存されているサムネイル画像データを取得するデータ取得部と、データ取得部のサムネイル画像データに基づいて1枚の紙に複数のサムネイル画像及びそれぞれのサムネイル画像に対応する識別コードを印刷するように印刷部及び搬送部を制御する制御部とを備えるため、高速で画像を印刷することができる。また、印刷する画像を識別コードによって指定することができる。」を、「印刷を行う印刷部と、前記印刷部に紙を搬送する搬送部とを備えるプリンタであって、脱着可能な記録媒体に保存されている画像データ及びサムネイル画像データを取得するデータ取得部と、前記画像データの識別コードを表示する表示部と、前記表示された識別コードを切り替える画像選択手段と、前記サムネイル画像データに基づいて紙1枚につき複数のサムネイル画像及びそれぞれのサムネイル画像に対応する識別コードを印刷するように前記印刷部及び搬送部を制御し、前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、前記表示部に表示された識別コードに対応する前記画像データを印刷するように前記印刷部及び前記搬送部を制御する制御部と、を備えることを特徴とする。」と訂正するものである。
ｆ．訂正事項ｆ
　訂正事項ｆは、本件の明細書の段落【００１３】における「本発明の請求項２記載のプリンタによると、データ取得部は、記録媒体から画像データを取得し、制御部は、データ取得部の画像データに基づいて印刷部及び搬送部を制御するため、高画質の画像を印刷することができる。」を「前記制御部は、前記データ取得部が前記記録媒体からサムネイル画像データを取得するときは当該サムネイル画像データに基づいて前記印刷部及び前記搬送部に粗い画質で高速印刷させ、前記データ取得部が前記表示部に表示された識別コードに対応する前記画像データを前記記録媒体から取得するときは、当該画像データに基づいて前記印刷部及び搬送部に高画質で印刷させることを特徴とする。」と訂正するものである。
ｇ．訂正事項ｇ
　訂正事項ｇは、本件の明細書中の段落【００１４】、【００１５】、【００１７】、及び【００１８】を、削除するものである。
ｈ．訂正事項ｈ
　訂正事項ｈは、本件の明細書中段落【００４０】における「第２制御方式とは、電子データに含まれるサムネイル画像データに基づいて高画質で印刷する制御方式である。」を、「第２制御方式とは、電子データに含まれる画像データに基づいて高画質で印刷する制御方式である。」と訂正するものである。
（２）．訂正の目的の適否、新規事項の有無、及び拡張・変更の存否
ａ．訂正事項ａ
　訂正事項ａは、特許請求の範囲の記載と発明の名称及び発明の詳細な説明の記載の整合をとるために、発明の名称、発明の詳細な説明の段落【０００１】、及び【０００７】乃至【００１１】における「プリンタ、印刷方法及び記録媒体」を、「プリンタ」と訂正するものであるから、明りょうでない記載の釈明を目的とするものであって、願書に添付した明細書又は図面に記載した事項の範囲内の訂正であり、実質上特許請求の範囲を拡張し、又は変更するものでない。
ｂ．訂正事項ｂ
　訂正事項ｂは、【特許請求の範囲】の請求項３ないし７を削除する訂正であるから、明りょうでない記載の釈明を目的とするものであって、願書に添付した明細書又は図面に記載した事項の範囲内の訂正であり、実質上特許請求の範囲を拡張し、又は変更するものでない。
ｃ．訂正事項ｃ
　訂正事項ｃにおいて、訂正事項ｃ１は、「データ取得部」に取り込まれるデータについて、訂正前の請求項４の「前記データ取得部の画像データ」、段落【００４３】の「第１データ取得部７は（中略）記録媒体に記録されたサムネイル画像データや画像データを含む電子データ」に基づいて「記録媒体に保存されているサムネイル画像」を、「記録媒体に保存されている画像データ及びサムネイル画像」と限定するものである。
　そうすると、訂正事項ｃ１は、特許請求の範囲の減縮を目的とするものであって、願書に添付した明細書又は図面に記載した事項の範囲内の訂正であり、実質上特許請求の範囲を拡張し、又は変更するものでない。
　訂正事項ｃ２は、第１に、表示部の表示の対象について、訂正前の請求項５の「前記識別コードを表示する表示部を備える」、段落【００３８】の「写真選択セクション４０６は（中略）印刷する画像を指定する０から１９９までの識別コードとしての数字を表示するセクションである。」、及び段落【００５４】の「印刷したい画像の識別コードを写真選択セクション４０６で指定する。」に基づいて、プリンタが「前記画像データの識別コードを表示する表示部」を備えることについて、具体的に限定するものである。第２に、識別コードを操作する態様について、訂正前の請求項４の「画像選択手段を備える」、段落【００３１】の「画像選択手段（中略）としての機能（中略）備えた右キー５０９及び左キー５０８」、段落【００３３】の「アクティブなセクションでは、右キー５０９と左キー５０８によって表示を切り替えることが可能である。」、及び段落【００３８】の「写真選択セクション４０６は（中略）識別コードとしての数字を表示するセクションである。」に基づいて、プリンタが「前記表示された識別コードを切り替える画像選択手段」を備えることについて、具体的に限定するものである。
　そうすると、訂正事項ｃ２は、特許請求の範囲の減縮を目的とするものであって、願書に添付した明細書又は図面に記載した事項の範囲内の訂正であり、実質上特許請求の範囲を拡張し、又は変更するものでない。
　訂正事項ｃ３は、段落【００５２】の「用紙１枚につき（中略）印刷する。」に基づいて、被印刷物が「１枚の紙」に限られるものではないことを明瞭にするために「１枚の紙に」を「紙１枚につき」と訂正するものである。そうすると、訂正事項ｃ３は、明りょうでない記載の釈明を目的とするものであって、願書に添付した明細書又は図面に記載した事項の範囲内の訂正であり、実質上特許請求の範囲を拡張し、又は変更するものでない。
　訂正事項ｃ４は、次のように（イ）乃至（ニ）に分説して検討する。即ち、訂正事項ｃ４においては、制御部の制御の態様について、
（イ）まず、制御部が「前記識別コードを前記表示部にデフォルト表示させて」とする事項は、段落【００３８】の「写真選択セクション４０６は、（中略）印刷する画像を指定する０から１９９までの識別コードとしての数字を表示するセクションである。」、及び【００５３】の「表示部４には、（中略）デフォルトの設定として（中略）写真選択セクション４０６と枚数セクション４０７に１が表示される。」という記載に基づいて、「識別コード」の表示部における表示の態様について、「前記表示部にデフォルト表示させ」ることについて具体的に限定するものである。
（ロ）次に、制御部が「前記表示された識別コードに対応する前記画像データを前記印刷部及び前記搬送部で印刷可能な状態であって」とする事項は、段落【００３２】の「表示部４で選択される表示内容は、プリント開始キー５０１が押圧されることによって制御部３に伝送される。」、段落【００３８】の「写真選択セクション４０６は、（中略）印刷する画像を指定する０から１９９までの識別コードとしての数字を表示するセクションである。」、段落【００５３】の「表示部４には、（中略）デフォルトの設定として（中略）写真選択セクション４０６と枚数セクション４０７に１が表示される。」、及び段落【００５４】の「プリント開始キー５０１を押すと、指定した識別コードに対応する画像が表示部４に表示された設定によって印刷される。」という記載に基づいて、前示の（イ）の限定に併せ更に具体的に限定するものである。
（ハ）次に、制御部が「前記表示部に表示された識別コードを前記画像選択手段で切り替え可能な状態にし」とする事項は、段落【００３８】の「写真選択セクション４０６は、（中略）印刷する画像を指定する０から１９９までの識別コードとしての数字を表示するセクションである。」、段落【００５３】の「表示部４には、（中略）デフォルトの設定として（中略）写真選択セクション４０６と枚数セクション４０７に１が表示される。」、及び段落【００５４】の「次に、右キー５０９又は左キー５０８を操作してインデックスに印刷された画像のうち印刷したい画像の識別コードを写真選択セクション４０６で指定する。」という事項に基づいて、前示の（イ）、（ロ）の限定に併せ更に具体的に限定するものである。
（ニ）更に、制御部が、「前記表示部に表示された識別コードに対応する前記画像データを印刷するように前記印刷部及び前記搬送部を制御する」事項は、段落【００３８】の「写真選択セクション４０６は、（中略）印刷する画像を指定する０から１９９までの識別コードとしての数字を表示するセクションである。」、及び段落【００５４】の「次に、右キー５０９又は左キー５０８を操作してインデックスに印刷された画像のうち印刷したい画像の識別コードを写真選択セクション４０６で指定する。制御部３は、（中略）第２制御方式によって電子データに含まれる画像データに基づいて印刷部２及び搬送部１を制御する。点滅しているプリント開始キー５０１を押すと、指定した識別コードに対応する画像が表示部４に表示された設定によって印刷される。」に基づいて、前示の（イ）、（ロ）、及び（ハ）の限定に併せ更に具体的に限定するものである。
　そうすると、訂正事項ｃ４は、以上の（イ）乃至（ニ）からみて、請求項１における「複数のサムネイル画像及びそれぞれのサムネイル画像に対応する識別コードを印刷するように前記印刷部及び搬送部を制御する制御部と、」を「複数のサムネイル画像及びそれぞれのサムネイル画像に対応する識別コードを印刷するように前記印刷部及び搬送部を制御し、前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、前記表示部に表示された識別コードに対応する前記画像データを印刷するように前記印刷部及び前記搬送部を制御する制御部と、」と制御部の制御の態様について具体的に限定するものである。
　してみると、訂正事項ｃ４は、特許請求の範囲の減縮を目的とするものであって、願書に添付した明細書又は図面に記載した事項の範囲内の訂正であり、実質上特許請求の範囲を拡張し、又は変更するものでない。
　したがって、請求項1の全体を「印刷を行う印刷部と、前記印刷部に紙を搬送する搬送部とを備えるプリンタであって、脱着可能な記録媒体に保存されている画像データ及びサムネイル画像データを取得するデータ取得部と、前記画像データの識別コードを表示する表示部と、前記表示された識別コードを切り替える画像選択手段と、前記サムネイル画像データに基づいて紙1枚につき複数のサムネイル画像及びそれぞれのサムネイル画像に対応する識別コードを印刷するように前記印刷部及び搬送部を制御し、前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、前記表示部に表示された識別コードに対応する前記画像データを印刷するように前記印刷部及び前記搬送部を制御する制御部と、を備えることを特徴とするプリンタ。」と訂正する訂正事項ｃは、特許請求の範囲の減縮及び明りょうでない記載の釈明を目的とするものであって、願書に添付した明細書又は図面に記載した事項の範囲内の訂正であり、実質上特許請求の範囲を拡張し、又は変更するものでない。
ｄ．訂正事項ｄ
　訂正事項ｄは、制御部の制御の態様について、段落【００４０】の「第１制御方式とは、電子データに含まれるサムネイル画像に基づいて粗い画像で高速印刷する制御方式であり、第２制御方式とは、電子データに含まれるサムネイル画像（当審注：本件の訂正請求において、前示の２．（１）．のｈ．の訂正事項ｈのとおり、「サムネイル画像」は「画像データ」の誤記である、として訂正されている。後述のｈ．参照。）に基づいて高画像で印刷する制御方式である。」に基づいて、【特許請求の範囲】の請求項２における「前記データ取得部は、前記記録媒体から画像データを取得し、前記制御部は、前記データ取得部の画像データに基づいて前記印刷部及び搬送部を制御することを特徴とする請求項1記載のプリンタ。」を、「前記制御部は、前記データ取得部が前記記録媒体からサムネイル画像データを取得するときは当該サムネイル画像データに基づいて粗い画質で高速印刷するように前記印刷部及び搬送部を制御し、前記データ取得部が前記表示部に表示された識別コードに対応する前記画像データを前記記録媒体から取得するときは、当該画像データに基づいて高画質で印刷するように前記印刷部及び搬送部を制御することを特徴とする請求項1記載のプリンタ。」と限定して訂正するものである。
　そうすると、訂正事項ｄは、特許請求の範囲の減縮を目的とするものであって、願書に添付した明細書又は図面に記載した事項の範囲内の訂正であり、実質上特許請求の範囲を拡張し、又は変更するものでない。
ｅ．訂正事項ｅ
　訂正事項ｅは、訂正された【特許請求の範囲】の請求項１の記載と発明の詳細な説明の記載を整合させるために、本件の明細書の段落【００１２】における「本発明の請求項１記載のプリンタによると、脱着可能な記録媒体に保存されているサムネイル画像データを取得するデータ取得部と、データ取得部のサムネイル画像データに基づいて1枚の紙に複数のサムネイル画像及びそれぞれのサムネイル画像に対応する識別コードを印刷するように印刷部及び搬送部を制御する制御部とを備えるため、高速で画像を印刷することができる。また、印刷する画像を識別コードによって指定することができる。」を、「本発明の請求項１記載のプリンタによると、印刷を行う印刷部と、前記印刷部に紙を搬送する搬送部とを備えるプリンタであって、脱着可能な記録媒体に保存されている画像データ及びサムネイル画像データを取得するデータ取得部と、前記画像データの識別コードを表示する表示部と、前記表示された識別コードを切り替える画像選択手段と、前記サムネイル画像データに基づいて紙1枚につき複数のサムネイル画像及びそれぞれのサムネイル画像に対応する識別コードを印刷するように前記印刷部及び搬送部を制御し、前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、前記表示部に表示された識別コードに対応する前記画像データを印刷するように前記印刷部及び前記搬送部を制御する制御部と、を備えることを特徴とする。」と訂正するものである。
　そうすると、訂正事項ｅは、明りょうでない記載の釈明を目的とするものであって、願書に添付した明細書又は図面に記載した事項の範囲内の訂正であり、実質上特許請求の範囲を拡張し、又は変更するものでない。
ｆ．訂正事項ｆ
　訂正事項ｆは、訂正された【特許請求の範囲】の請求項２の記載と発明の詳細な説明の記載を整合させるために、本件の明細書の段落【００１３】における「本発明の請求項２記載のプリンタによると、データ取得部は、記録媒体から画像データを取得し、制御部は、データ取得部の画像データに基づいて印刷部及び搬送部を制御するため、高画質の画像を印刷することができる。」を「本発明の請求項２記載のプリンタによると、前記制御部は、前記データ取得部が前記記録媒体からサムネイル画像データを取得するときは当該サムネイル画像データに基づいて前記印刷部及び前記搬送部に粗い画質で高速印刷させ、前記データ取得部が前記表示部に表示された識別コードに対応する前記画像データを前記記録媒体から取得するときは、当該画像データに基づいて前記印刷部及び搬送部に高画質で印刷させることを特徴とする。」と訂正するものである。
　そうすると、訂正事項ｆは、明りょうでない記載の釈明を目的とするものであって、願書に添付した明細書又は図面に記載した事項の範囲内の訂正であり、実質上特許請求の範囲を拡張し、又は変更するものでない。
ｇ．訂正事項ｇ
　訂正事項ｇは、本件の明細書中の段落【００１４】、【００１５】、【００１７】及び【００１８】を、削除するものであるから、明りょうでない記載の釈明を目的とするものであって、願書に添付した明細書又は図面に記載した事項の範囲内の訂正であり、実質上特許請求の範囲を拡張し、又は変更するものでない。
ｈ．訂正事項ｈ
　訂正事項ｈは、本件の明細書中段落【００４０】における「第２制御方式とは、電子データに含まれるサムネイル画像データに基づいて高画質で印刷する制御方式である。」を、「第２制御方式とは、電子データに含まれる画像データに基づいて高画質で印刷する制御方式である。」と訂正するものであるから、誤記の訂正を目的とするものであって、願書に添付した明細書又は図面に記載した事項の範囲内の訂正であり、実質上特許請求の範囲を拡張し、又は変更するものではない。
（３）．まとめ
　以上のとおりであるから、本件の訂正は、特許請求の範囲の減縮、明りょうでない記載の釈明、及び誤記の訂正を目的とするものであって、願書に添付した明細書又は図面に記載した事項の範囲内の訂正であり、実質上特許請求の範囲を拡張し、又は変更するものでなく、特許法第１２０条の４第３項において準用する第１２６条第２項、第３項の規定に適合するものである。
３．特許異議申立てについての判断
（１）申立の理由の概要
ａ．特許異議申立人相原光政の異議申立理由の概要
　本件の請求項１乃至７に係る発明は、その出願前その発明の属する技術の分野における通常の知識を有する者がその出願前国内において頒布された刊行物（再公表特許国際公開番号ＷＯ９６／２７２５８号公報、特開平８−３０７５８９号公報、特開平１−２２３５３０号公報、特開平８−３２９１１号公報）に記載された発明に基いて容易に発明をすることができたものであるから、特許法第２９条第２項の規定により特許を受けることができないものであり、本件の請求項１乃至７に係る発明の特許は取り消すべきものである、というものである。
ｂ．特許異議申立人戸叶孝一の異議申立理由の概要
　本件の特許出願は、平成１０年３月１６日を特許出願日とする特許出願（以下、「先の出願」という。）の願書に最初に添附された明細書又は図面に記載された発明に基づいて優先権を主張してなされた平成１０年１０月１４日を特許出願日とする特許出願（以下、「後の出願」という。）であるところ、本件の請求項１、４乃至７に係る発明の特許の出願は、本件の先の出願の出願日である平成１０年３月１６日を優先日とする利益を享受できないものであるから、それらの請求項１、４乃至７に係る発明の特許は、本件の後の出願の出願日である平成１０年１０月１４日を出願日とする特許出願に係るものであり（後述の（４）Ａ．「本件の特許出願の出願日について」参照。）、本件の請求項１、４乃至７に係る発明は、その出願前その発明の属する技術の分野における通常の知識を有する者がその出願前国内において頒布された刊行物（特開平１０−１２６７２４号公報（公開日は、本件の先の出願の出願日より後であって、本件の後の出願の出願日の前の平成１０年５月１５日）、特開平５−１７６１５８号公報、）に記載された発明に基いて容易に発明をすることができたものであるから、特許法第２９条第２項の規定により特許を受けることができないものであって、本件の請求項１、４乃至７に係る発明の特許は取り消すべきものである、というものである。
（２）本件の請求項１、２に係る発明
　上記２．で説示したように上記訂正が認められるから、本件の請求項１に係る発明（以下、「本件発明１」ということがある。）及び本件の請求項２に係る発明（以下、「本件発明２」ということがある。）は、本件の訂正明細書（以下、本件の訂正明細書を「訂正明細書」、本件の訂正明細書及び図面を「訂正明細書等」ということがある。）においてその特許請求の範囲の請求項１及び２に記載された事項によって特定される以下のとおりのものである。なお、符号（Ａ）〜（Ｈ）を挿入した。
【請求項１】
（Ａ）印刷を行う印刷部と、前記印刷部に紙を搬送する搬送部とを備えるプリンタであって、
（Ｂ）脱着可能な記録媒体に保存されている画像データ及びサムネイル画像データを取得するデータ取得部と、
（Ｃ）前記画像データの識別コードを表示する表示部と、
（Ｄ）前記表示された識別コードを切り替える画像選択手段と、
（Ｅ）前記サムネイル画像データに基づいて紙1枚につき複数のサムネイル画像及びそれぞれのサムネイル画像に対応する識別コードを印刷するように前記印刷部及び搬送部を制御し、
（Ｆ）前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、
（Ｇ）前記表示部に表示された識別コードに対応する前記画像データを印刷するように前記印刷部及び前記搬送部を制御する制御部と、を備えることを特徴とするプリンタ。
【請求項２】
（Ｈ）前記制御部は、前記データ取得部が前記記録媒体からサムネイル画像データを取得するときは当該サムネイル画像データに基づいて粗い画質で高速印刷するように前記印刷部及び搬送部を制御し、前記データ取得部が前記表示部に表示された識別コードに対応する前記画像データを前記記録媒体から取得するときは、当該画像データに基づいて高画質で印刷するように前記印刷部及び搬送部を制御することを特徴とする請求項1記載のプリンタ。
（３）刊行物に記載された発明
刊行物
刊行物１　再公表特許国際公開番号ＷＯ９６／２７２５８号公報（特許異議申立人相原光政が提出した甲第１号証） 
刊行物２　特開平８−３０７５８９号公報（同申立人相原光政が提出した甲第２号証）
刊行物３　特開平１−２２３５３０号公報（特許異議申立人相原光政が提出した参考資料１）
刊行物４　特開平８−３２９１１号公報（特許異議申立人相原光政が提出した参考資料２）
刊行物５　特開平５−１７６１５８号公報（特許異議申立人戸叶孝一が提出した甲第２号証）
刊行物６　特開平１０−１２６７２４号公報（特許異議申立人戸叶孝一が提出した甲第１号証）
ａ．刊行物１に記載された発明
刊行物１（再公表特許国際公開番号ＷＯ９６／２７２５８号公報）には、
『１．記憶媒体から複数の画像を読み出す読出し手段と、上記読出し手段によって読み出された複数の画像データに基づいて、印刷画像データを形成する画像形成手段と、上記画像形成手段によって形成された印刷画像データをインデックスカード上に印刷する印刷手段と、上記印刷画像データが印刷されたインデックスカードによって上記複数の画像データを一覧できるように上記読出し手段、上記画像形成手段及び上記印刷手段を制御する制御手段とを備えた画像データ印刷装置。』（第２頁第２行〜第１０行、特許請求の範囲）
『まず、本発明に係る画像データ印刷装置及び印刷画像データ生成装置は、例えば図１に示すような静止画ファイリングシステムに適用される。１．［静止画ファイリングシステムの構成］この静止画ファイリングシステムは、（中略）スキャナ部１と（中略）プリンタ部２と（中略）画像処理ブロック３とを有し（中略）画像データに応じた静止画像が表示されるモニタ装置９（中略）記録媒体として設けられている光ディスクに記録し再生するストレージ部５と当該静止画ファイリングシステム全体の制御を行うシステムコントローラ６とを有している。（中略）また、このシステムコントローラ６には、上記画像データの取り込み、記録、再生、プリント等を指定するための操作部１０が接続されている。』（第２３頁第２０行〜第２４頁第１５行）、
『１−５［ストレージ部の構成］　上記ストレージ部５は、図６に示すように上記バスライン７に接続されたインターフェース５ａと、上記間引き、圧縮伸長処理ブロック４からの各解像度の画像データに対して８−１４変調処理を施すＥＦＭ回路５ｂと、上記ＥＦＭ回路５ｂからの画像データを光ディスク２０に記録し再生するディスク記録再生装置５ｃと、当該ストレージ部５全体の動作を制御するストレージ部コントローラ５ｄとで構成されている。』（第２６頁第２１行〜同頁第２７行）、
『４．［ファイル及びファイルの階層構造の説明］　当該静止画像ファイリングシステムにおいて使用されるファイルは、管理ファイル、画像ファイル、インデックス画像ファイル等がある。（中略）画像ファイルには、高解像度画像データＨＤを記録する高解像度画像ファイルと、中間解像度画像データＳＤを記録する中間解像度画像ファイルとがある。上記高解像度画像ファイルは、図１８（ａ）に示す（中略）上記中間解像度画像ファイルは、図１８（ｂ）に示す（中略）このインデックス画像ファイルには、図１８（ｃ）に示すように、２５個の低解像度画像データがインデックス画像データとして収納されている。１つの低解像度画像データは、６４０画素×４８０画素の中間解像度データを１／８０に間引いてデータレートを減少させて生成した６０画素×８０画素から成り立っている。次に、当該静止画像ファイリングシステムは、階層ディレクトリ構造により光ディスク２０に記録された画像データを管理するようになっている。この階層ディレクトリ構造は例えば図１９に示すようになっており、画像データを記録するディレクトリＤ１（ＰＩＣ＿ＭＤ）を設け、その中でファイル管理を行うようになっている。』（第５３頁下から第１行〜第５５頁第１４行）、
『６．［記録動作］（中略）挿入された光デイスク２０が、ストレージ部５内に装着されて画像データの記録再生可能な状態となる。』（第７６頁第８行〜同頁第９行）、
『次に、ステップＳ９では、システムコントローラ６が（中略）ディレクトリ名称、ディレクトリ番号、及び画像ディレクトリ内の画像枚数等のデータを上記モニタ装置９に表示制御し（中略）ステップＳ１０では、（中略）操作部１０の操作状態を検出することにより（中略）画像データを記録する画像ディレクトリの指定があったか否かを判別し、（中略）ステップＳ１２では、（中略）指定がなされていないため、（中略）指定されるまで、（中略）上記ステップ１０及び当該ステップ１２を繰り返し、（中略）ステップＳ１３では、（中略）指定されたため、（中略）総合情報管理ファイルによって既存の画像ディレクトリの個数を判断して、新たな画像ディレクトリのディレクトリ番号を付すと共に、この画像ディレクトリの中に画像データ管理ファイル及び画像インデックスファイルを形成して（中略）ステップ１４に進む。（中略）ステップ１４では、（中略）全ての画像データを読み出す』（第７８頁第１６行〜第７９頁第９行）、
『９．［インデックス画像の再生及び表示］（中略、当審注：第１００頁第１行〜第１０２頁下から第１０行まで省略。）ステップＳ１３２では、上記システムコントローラ６が、検索されたディレクトリ内の最初の画像インデックスファイル（２５枚分のインデックス画像を含む）を上記モニタ装置９に表示制御し（第９９頁下から第１行、及び第１０２頁下から第９行〜第７行）（中略）システムコントローラ６が、上記操作部１０の操作状態を検出することにより、上記モニタ装置９に表示されたインデックス画像の中からユーザ所望の画像の指定がなされたか否かを判別し、（中略）Ｙｅｓの場合は（第１０２頁下から第６行〜第３行）、ステップＳ１３６に進み、上記システムコントローラ６が指定されたインデックス画像に対応する高解像度画像ファイル又は中間解像度画像ファイルを検索して（第１０３頁第６行〜第８行）（中略）システムコントローラ６が操作部１０の操作状態を検出することにより、上記検索された中間解像度の画像ファイルのモニタ表示が指定されたか否かを判別し、Ｙｅｓの場合は（第１０４頁第１６行〜第１８行）（中略）システムコントローラ６が（中略）再生された中間解像度の画像ファイルを表示するようにモニタ装置９を表示制御すると共に、（中略）検索された高解像度の画像ファイルを読み出すようにディスク記録再生部５ｃを制御し、これをメインメモリ１１ａを介してプリンタ部２に供給し（中略）全ルーチンを終了する。（第１０４頁第２０行〜同頁下から第１行）』（第９９頁下から第１行〜第１０４頁下から第１行）、
『１２．［インデックスプリントの説明］　以下、インデックスプリントについて説明する。（中略）まず、この静止画像ファイリングシステムでインデックス画像がプリントされるインデックスカード５０は、例えば図４０に示すように、プリント紙４０上に複数個配置されるようにプリントされる。（中略）プリント紙４０上には、８つのインデックスカード５０が配置され、複数のインデックス画像がプリントされる。各インデックスカード５０には、一対の画像印画部５１と関連情報印画部５２がそれぞれ２５個プリントされる。この画像印画部５１には、インデックス画像データがプリントされる。また、関連情報印画部５２には、画像ディレクトリを示す番号「４」と、高解像度画像データの記録モードを示す「Ｕ」と、画像番号を示す「５」のキャラクタがプリントされる。』（第１１２頁第５行〜同頁第２０行）、
『１３．［インデックスプリントの動作説明］ディスクに全ての画像データを記録し終えた後に、インデックスプリントが行えるようになっている。つまり、第１の記録動作におけるステップＳ２４の後、又は第２の記録動作におけるステップＳ５１の後、又は第３の記録動作におけるステップＳ９７の後に、インデックスプリントを行うことができる。（当審注：第１１５頁第７行〜第１２行）（中略）まず、図４５に示されたフローを参照して具体的に第１のインデックスプリントの動作を説明する。第１のインデックスプリントの動作は、図４０に示される第１の実施例のインデックスカードをプリントする際の動作である。（中略）ステップＳ２０１では、プリントモードの選択を判断する。このプリントモードには、高解像度プリントモードと低解像度プリントモードの２つプリントモードがある。（中略）また、低解像度プリントモードは、インデックスカード上にプリントする印刷画像データをインデックス画像ファイルに記録された低解像度画像データすなわちインデックス画像データによって生成するモードである。』（第１１５頁第７行〜第１１６頁第３行）、
『このステップＳ２０２では、中間解像度ファイルを検索する。まず、システムコントローラ６は、ＲＡＭ６ａに記憶された画像データ管理ファイルのディレクトリ番号及び画像番号を参照し、画像ディレクトリ及び画像ファイルを指定する。』（第１１６頁第９行〜同頁第１２行）、
『ステップＳ２１０では、システムコントローラ６は、プリンタ部２に転送された画像データをＹＭＣデータに変換してプリントアアウトするように制御して終了する。』（第１２０頁第５行〜第７行）、
『次に、低解像度プリントモードを説明する。すなわち、上記ステップＳ２０１で低解像度モードが指定されるとステップＳ２１１に進む。このステップＳ２１１では、インデックス画像ファイルを検索する。具体的に説明すると、システムコントローラ６は、ＲＡＭ６ａに記憶された総合情報管理ファイルの中に画像ディレクトリの数だけ設けられた画像ディレクトリ情報ユニットのディレクトリ番号を参照することにより、画像ディレクトリ及びインデックス画像ファイルを指定する。指定される画像ディレクトリは、ディレクトリ番号「ｍｍｍｍｍ」の最も小さいディレクトリである。図１９に示されるファイル構造の例においては、「ＰＩＣ０００００」が指定される。また、インデックス画像ファイルは、指定されたディレクトリの中における最もインデックス番号「ｎｎｎ」の小さいファイルが指定される。従って、図１９に示されるファイル構造の例においては、「ＰＩＮＤＸ０００．ＰＭＸ」が指定されることになる。システムコントローラ６によって、インデックス画像ファイルが指定されると、ステップＳ２１２に進む。ステップＳ２１２では、システムコントローラ６は、ステップＳ２１１で指定されたインデックス画像ファイルをディスク上で検索して読み出すようにストレージコントローラ５ｄを制御する。ファイルの検索動作は、前述した［ファイル及び画像ディレクトリの検索］の項において説明した図３８の動作フローに従って行われる。ストレージ部５から読み出されたインデックス画像ファイルに含まれる複数の低解像度画像データ（インデックス画像データ）は、図２９（ａ）に示すように、Ｎ個のへツダとＮ個のインデックス画像データとから構成されている。また、既に説明したように、このインデックス画像データは６０画素×８０画素の解像度を有している。このＮ個のインデックス画像データは、ヘッダを参照することによってＪＰＥＧ伸張されて、画像処理ブロック３のメインメモリ１１ａに順に記憶される。このステップＳ２１２において、Ｎ個のインデックス画像データの読出しが終了すると、ステップＳ２１３に進む。ステップＳ２１３では、メモリ１１ａに記憶されたＮ個のインデックス画像データに、関連情報データが合成される。』（第１２０頁第８行〜第１２１頁第８行）、
『ステップＳ２１７では、システムコントローラ６は、プリンタ部２に転送された画像データをＹＭＣデータに変換してプリントアアウトするように制御して終了する。』（第１２３頁下から第８行〜第６行）、
『また、インデックスカードにプリントされたインデックス画像データと一緒にディレクトリ番号及びインデックス画像番号をプリントするようにしているので、このインデックスカードを見るだけで、ユーザの希望する画像がどのディレクトリの何番目に記録されているかを把握することができる。従って、ディスクを記録再生装置に装着して、どのディレクトリに所望の画像データが記録されているかを検索することなく、このインデックスカードを見るだけで、ディレクトリ番号及びインデックス画像番号を指定して、所望の画像を再生することができ、検索作業を簡略化することができる。』（第１２５頁第２０行〜同頁２７行）、と記載されており、また、これらの記載と静止画像ファイリングシステムのブロック図である図１（第２０頁第７行〜第８行）及びストレージ部のブロック図である図６（第２０頁第１７行〜第１８行）を併せみると、『光ディスク２０の記憶媒体をアクセスするためのストレージ部５が設けられていて、光ディスク２０には、画像ファイルの他に、低解像度の画像、例えば６０画素×８０画素のインデックス画像ファイルが格納されており、インデックスプリントが指定されると、システムコントローラ６は、プリント紙４０上に、ストレージコントローラ５ｄを制御して、低解像度の画像（８０×６０画素）を複数読出し、その低解像度の画像と関連情報データを合成して、図４０（静止画像ファイリングシステムでプリントしたインデックスカードの平面図）（第２２頁下から第１行〜第２３頁第１行）に示すプリントを行い、このインデックスカードを見るだけで、ユーザの希望する画像がどのディレクトリの何番目に記録されているかを把握することができる。従って、ディスクを記録再生装置に装着して、どのディレクトリに所望の画像データが記録されているかを検索することなく、このインデックスカードを見るだけで、ディレクトリ番号及びインデックス画像番号を指定して、所望の画像を再生することができ、検索作業を簡略化することができる』事項が記載されている。
　これらの記載及び図面（特に、図１、６、１５，１８，１９、及び３２〜４５）を含む刊行物１によれば、刊行物１には、
『記憶媒体から複数の画像を読み出す読出し手段と、上記読出し手段によって読み出された複数の画像データに基づいて、印刷画像データを形成する画像形成手段と、上記画像形成手段によって形成された印刷画像データをインデックスカード上に印刷する印刷手段（プリンタ部２）と、上記印刷画像データが印刷されたインデックスカードによって上記複数の画像データを一覧できるように上記読出し手段、上記画像形成手段及び上記印刷手段を制御する制御手段とを備えた画像データ印刷装置であって、
　ストレージ部５内に装着された光ディスク２０に記憶されている高解像度画像データと中間解像度画像データとインデックス画像データを、ストレージコントローラ５ｄを制御して読み出すストレージ部５と、
　画像データに応じた静止画像が表示されるモニタ装置９を備え、
　操作部１０の操作状態を検出して画像ディレクトリの指定の有無を判別し、指定されたときに、既存の画像ディレクトリの個数を判断して、新たな画像ディレクトリのディレクトリ番号を付すと共に、この画像ディレクトリの中に画像データ管理ファイル及び画像インデックスファイルを形成して、全ての画像データを読み出し、システムコントローラ６が、検索されたディレクトリ内の最初の画像インデックスファイル（２５枚分のインデックス画像を含む）を上記モニタ装置９に表示制御し、モニタ装置９に表示されたインデックス画像の中からユーザ所望の画像の指定の有無に応じて、指定されたインデックス画像に対応する高解像度画像ファイル又は中間解像度画像ファイルを検索し、検索された中間解像度の画像ファイルのモニタ表示が指定されたか否かを判別し、指定された場合は、再生された中間解像度の画像ファイルを表示するようにモニタ装置９を表示制御すると共に、検索された高解像度の画像ファイルを読み出すようにディスク記録再生部５ｃを制御し、これをメインメモリ１１ａを介してプリンタ部２に供給し、プリントの指示があった場合、読み出した低解像度の画像データに基づいて１枚のプリント紙４０に複数の低解像度の画像（インデックス画像）が画像印画部５１に、及び各低解像度の画像（インデックス画像）に対応する関連情報（画像ディレクトリを示す番号、高解像度画像データの記録モードを示す符号、画像番号）が関連情報印画部５２に印刷されるように制御するように構成されている画像データ印刷装置。』（以下、「刊行物１の発明」ということがある。）が記載されている。
ｂ．刊行物２に記載された発明
刊行物２（特開平８−３０７５８９号公報）には、
『デジタルスチルビデオカメラによって撮影された記憶媒体上の画像データの内容が容易に把握でき、一枚あるいは複数枚の記録紙上で一度に見られる形に記録紙上に出力できるデジタル複写装置を提供することを第１の目的とする。』（段落【０００８】、第３頁左欄第３２行〜第３６行）、
『スキャナ１０１は、（中略）後述する記憶装置１１１の間で画像データの送受信を行うためのインターフェースボード１１０と、ＲＡＭカード等の記憶媒体に画像データを書き込んだり、画像データを読み込む記憶装置１１１と（中略）から構成される。』（段落【００３１】、第５頁左欄第２３行〜第４０行）、
『また、プリンタ１０２は、（中略）記録紙を収納する用紙トレイ１２２、１２３と、用紙トレイ１２２、１２３から記録紙を一枚ずつ給紙する給紙ローラ１２４、１２５と、記録紙の搬送タイミング（位置合わせ）を制御するためのレジストレーラ１２６と、記録紙を搬送する搬送ベルト１２７（中略）とを備えている。』（段落【００３３】、第５頁左欄第４６行〜右欄第２３行）、
『システム制御部１３３は、操作パネル２０２を介してオペレータとの間でデジタル複写装置に関する各種データを送受信する。（中略）操作パネル２０２を介してオペレータが要求した画像（選択画像）に基づいて、画像データの出力を制御している。』（段落【００４４】、第６頁右欄第１２行〜第２２行）、
『また、画像データをプリント出力する際、オペレータは、操作パネル２０２のキーを操作して画像データに付随したテキストデータをプリント出力するか、否かを選択する。』（段落【００４９】、第７頁左欄第１３行〜第１６行）、
『このとき、記憶媒体３０２に記憶されている画像データは、圧縮されて記憶されているため、記憶装置１１１で読み込まれた画像データは、インターフェースボード１１０内の圧縮伸長部３０６によって伸長された後、フレームメモリ３０３に書き込まれる。また、画像データに付随したテキストデータは、キャラクタジェネレータ３０７によってビットデータに展開され、フレームメモリ３０３に書き込まれる。どちらのデータも回様に出力開始位置によって出力位置がしていされる。このとき、テキストデータは、図４に示すように、プリント出力する画像データの近傍で画像データとの関係が判り易い位置が指定される。』（段落【００５０】、第７頁左欄第１７行〜第２８行）、
『ここで、記憶媒体３０２であるＲＡＭカードについて図を参照して説明する。図５は、ＲＡＭカードのメモリマップ例を示す図である。現在のデジタルスチルビデオカメラで一般的に使われるＲＡＭカードは、容量が２４Ｍバイト程度有し、約５００枚の静止画像が記憶可能である。』（段落【００５２】、第７頁左欄第３４行〜第３９行）、
『図７は、同日付の最初の１つの画像データのみをプリントした出力画像例である。また、図８は、同日付の最初と最後の２つの画像データをプリントした出力画像例である。いずれも記憶媒体３０２中の内容をできるだけ少ない記録紙にプリント出力し、理解できるようにするための代表的な画像データを選択する方法の一例である。また、図４のプリント出力した画像データに基づいて、画像データを１つずつ選択することも可能であることは、勿論である。』（段落【００５６】、第７頁右欄第１６行〜第２４行）、
『また、操作パネル２０２は、表示部２０３のタッチパネル付きのＬＣＤに、任意のキーを表示することが可能になっている。画像データをプリント出力してナンバー１１の画像データにテキストデータであるコメントを加える時、操作パネル２０２からコメントを付加するコメント付加モードを選択し、画像データのナンバー１１を入力する。』（段落【００５７】、第７頁右欄第２５行〜第３１行）、
　『【発明の効果】以上説明したように、（中略）画像読取手段と、デジタルスチルビデオカメラによって記録された記憶媒体との間で各種データの読み出しおよび書き込みを行うデータ入出力手段と、前記画像読取手段またはデータ入出力手段で読み込んだ画像データを記憶する記憶手段と、前記記憶媒体上に記録されている画像データ中の一つあるいは複数の画像データを選択するための選択手段と、（中略）制御手段と（中略）画像出力手段とを備えたため、デジタルスチルビデオカメラによって撮影された記憶媒体上の画像データの内容が容易に把握でき、一枚あるいは複数枚の記録紙上で一度に見られる形に記録紙上に出力でき、利便性を向上させることができる。また、デジタルスチルビデオカメラによって撮影された記憶媒体上の画像データが大量にある場合でも、選択手段を介してオペレータが希望する画像のみを選択して記録紙上に出力することができる。』（段落００６７】、第８頁左欄第４０行〜同頁右欄第１１行）と記載されており、これらの記載及び図面を含む刊行物２によれば、刊行物２（甲第２号証）には、
『デジタル複写装置において、デジタルスチルカメラによって記録された記憶媒体３０２を読込むための記憶装置１１１及びインターフェースボード１１０が設けられており、記憶媒体に記憶している全ての画像データおよび画像データに付随したテキストデータの出力画像例を印刷する場合には、記憶媒体３０２の画像データと、それに付随するテキストデータをビットデータに展開したものを、その画像データの近傍位置に配置させ、印刷する。』発明（以下、「刊行物２の発明」という。）
が記載されている。
ｃ．刊行物３に記載された発明  
刊行物３（特開平１−２２３５３０号公報）には、
『印刷中に早急に出力したいデータが生じた時でも上記データを印刷途中に割込ませ、優先的に印刷することができる印刷処理装置を提供することを課題とする。』（第２頁左上欄第４行〜第８行）、及び『印刷するページがある場合には、新たな指定された印刷要件があるかどうか判定する（ステップ１０７）。（中略）新たに発生した印刷要件の優先度の方が高い場合には、発生した印刷要件内に割込み印刷の要求があるかどうか判断する（ステップ１０９）。（中略）印刷要件内に割込み印刷の要求がある場合には、ＣＰＵ１３は（中略）次に印刷する印刷対象データの文字ドットを新たに発生した印刷要件のデータの文字ドットに書換える（ステップ１１０）。』（公報第３頁右上欄第６行〜左下欄第１２行）と記載されており、これらの記載及び図面を含む刊行物３によれば、刊行物３には、
『印刷順序列に従って印刷中に、新たな印刷要求が発生した場合で、割込み印刷要求がなされているときに、次に印刷する文字データを新たに発生した印刷要求のデータに書き換える』発明（以下、「刊行物３の発明」という。）が記載されている。
ｄ．刊行物４に記載された発明
刊行物４（特開平８−３２９１１号公報）には、
『目的は、（中略）カメラからの画像と、プリンタ側の規格態様に応じて適正な画像出力を可能とするカメラッシステムを提供することにある。』（段落（【０００６】、第３頁右欄第１０行〜第１３行）、
『プリンタの電源ＯＮにより処理が開始され』（段落（【００４９】、第６頁左欄第４０行〜第４１行）、
『現在のピクチャーナンバー（最後に記録されたピクチャーナンバー）（中略）指定のピクチャーナンバーを現在のピクチャーナンバーとし（ステップＳ３８）』（【００５０】、第６頁左欄第５５０行〜右欄第７行）、
『送り／戻しスイッチ３５４／３５３が押下されているか否かを判定し（ステップＳ４０）、ＯＮされていれば、図６のステップＳ４４の処理に移行し、両スイッチともＯＦＦであれば、プリント開始スイッチ３５２がＯＮか否かを判定する（ステップ４１）。』（【００５２】、第６頁右欄第１７行〜第２２行）、
『図６のステップＳ４４においては、戻しスイッチ３５３と送りスイッチ３５４の状態を判定し、送りスイッチ３５４だけがＯＮであれば、現在のピクチャーナンバーと最大ピクチャーナンバーとを比較し（ステップＳ４５）、戻しスイッチ３５３だけがＯＮであれば、現在のピクチャーナンバーと”１”とを比較し、（ステップＳ４６）』（【００５３】、第６頁右欄第２９行〜第３５行）、
『両ナンバーが異なる場合には、更にピクチャーナンバーを勧めることができるので、指定のピクチャーナンバーをインクリメントする（ステップＳ４８）』（【００５４】、第６頁右欄第４２行〜第４５行）、
『また、ステップＳ４６において、現在のピクチャーナンバーが”１”と等しくなければ、指定ピクチャーナンバーをデクリメントし（ステップＳ４９）』（【００５５】、第６頁右欄第４６行〜第４８行）、及び
『プリント開始スイッチ３５２がＯＮであると判定されると、カメラに対し指定のピクチャーナンバーを送信するとともに、プリンタ情報を送り（図６のステップＳ５１）』（【００５６】、第７頁左欄第２行〜第５行）と記載されており、これらの記載及び図面を含む刊行物４によれば、刊行物４には、カメラシステムにおいて、
『プリントの電源が入ると、現在のピクチャーナンバーを表示し、送りスイッチ、戻しスイッチによって選択されたコマの画像をプリントする』発明（以下、「刊行物４の発明」という。）が記載されている。
ｅ．刊行物５に記載された発明
刊行物５（特開平５−１７６１５８号公報）には、
『【実施例】（中略）図１を参照すると、実施例の画像印刷装置は、光ディスク２６に記録されている画像データ、とくにそのインデックス画像１２２のデータをこれから読み出してプリンタ３０によりインデックスプリントシート１２０に可視画像として印刷する装置である。その目的のため本装置はＣＤ再生装置２０を有し、これは、光ディスク２６が着脱可能に装着され、それに記録されている画像データを読み出す画像データ読出し装置である。ＣＤ再生装置２０は、小型コンピュータシステムインタフェース（ＳＣＳＩ）による接続線８２にて中央処理装置１０にインタフェースされている。これらによって中央処理装置１０への入力系が構成されている。』（段落【００１１】）、
『プリンタ３０は、画像をインデックスプリントシート１２０に印刷する装置であり』（段落【００１３】）、
『中央処理装置１０は、本装置全体の動作を統括し、制御する制御装置であり、（中略）より具体的には、ＣＤ再生装置２０から入力される画像信号のうちのインデックス画像データＩを識別し、インデックス画像１２２を構成する個々の縮小画像１２０ａに適切な枠画像１２０ｂを合成し、結果の画像データをプリンタ３０へ転送して印刷させる機能を有する。』（段落【００１４】）、
『本実施例では、この機能を実現するため、プリンタ３０のドット解像度に応じて個々の縮小画像１２０ａ の周囲に枠画像１２０ｂ（図５）を配置し、（中略）換言すれば、（中略）枠画像１２０ｂを設定し、これが縮小画像１２０ａと合成される。（中略）さらに換言すれば、図６に示すように、インデックス画像１２２の周縁の印刷実寸法がドット密度２００ｄｐｉで印刷時のそれと実質的に等しくなるような画素数に補助画像を作成し、またはそのような画素数の補助画像を用意し、』（段落【００１７】）、
『このような補助画像は、本実施例では、基本的な補助画像がハードディスク１４に格納されている。中央処理装置１０は、この補助画像をそのときに使用するプリンタ３０のドット解像度に応じた画素数の画像データに変換して、これに個々の縮小画像１２０ａを合成する。（中略）これにより、いずれのドット解像度のプリンタをプリンタ３０として本装置に接続しても、所定の寸法のインデックスプリントシート１２０に適合する寸法で、しかも視覚性のよいインデックス画像１２２を印刷することができる。この補助画像は、枠１２０ｂの他に、またはこれに加えて、縮小画像１２０ａのナンバリングやタイトルなどの文字を含んでもよい。枠１２０ｂは、図７に例示するような単色や無地の他、図８および図９にそれぞれに示すような模様および縞、ならびに図１０に例示するような二重枠など、様々な形態がある。』（段落【００１８】）、
『操作者は、インデックス画像１２２の記録されているコンパクトディスク２６をＣＤ再生装置２０にセットし、操作装置１８を操作してインデックス画像１２２の読込みを指示する。中央処理装置１０はこれに応動してＣＤ再生装置２０を制御し、コンパクトディスク２６から画像データを読み出させる。読出された画像データは、接続線８２を介して中央処理装置１０へ送られ、中央処理装置１０は、その中からへツダＨを識別し、インデックス画像１２２の画像データＩを識別する。インデックス画像データＩを検出すると、中央処理装置１０は、これが受信した画像データＩは一時記憶メモリ１２に記憶するとともに、その画像１２２をモニタ表示器４０に表示する。操作者はそこで、モニタ表示器４０の表示画像を確認し、インデックスプリントの指示を操作装置１８から入力する（図１１のステップ２０２）。これに応動して中央処理装置１０は、インデックス画像１２２を補助画像と合成する画像編集をおこない、結果の画像データはプリンタ３０へ接続線８３を介して転送され、プリンタ３０にてインデックス画像１２２の印刷が実行される。』（段落【００２０】）及び、
『画像合成処理１０では、中央処理装置１０は、ステップ２０６で算出したプリントサイズに応じた画素数の枠画像１２０ｂの画像データをハードディスク１４からメモリ１２の記憶領域に読み出し、メモリ１２に蓄積されているインデックス画像１２２と合成する。中央処理装置１０は、合成された結果の画像をモニタ表示器４０に表示する』（段落【００２２】）と記載されており、また図１によれば、『中央処理装置１０に連結されたプリンタ３０によって画像がインデックスプリントシート１２０に印刷される。』事項が認められる。
　これらの記載及び図面を含む刊行物５によれば、刊行物５には、
『着脱可能にＣＤ再生装置２０に装着された光ディスク２６に記録されている画像データ、インデックス画像１２２のデータを読み出す画像データ読出し装置であるＣＤ再生装置２０が、中央処理装置１０にインタフェースされ、中央処理装置１０は、画像をインデックスプリントシート１２０に印刷するプリンタ３０を備え、ＣＤ再生装置２０から入力される画像信号のヘッダＨを識別し、インデックス画像データＩを識別・検出し、受信した画像データＩは一時記憶メモリ１２に記憶するとともに、その画像１２２をモニタ表示器４０に表示し、操作者は、モニタ表示器４０の表示画像を確認し、インデックスプリントの指示を操作装置１８から入力し、これに応動して中央処理装置１０は、枠画像１２０ｂとインデックス画像１２２を構成する個々の縮小画像１２０ａのナンバリングやタイトルなどの文字を含む補助画像をそのときに使用するプリンタ３０のドット解像度に応じた画素数の画像データに変換して合成する画像編集をおこない、結果の画像データはプリンタ３０にてインデックス画像１２２の印刷が実行されるように制御する画像印刷装置。』（以下、「刊行物５の発明」という。）が記載されている。
ｆ．刊行物６に記載された発明
刊行物６（特開平１０−１２６７２４号公報）には、
『【００１３】【発明の実施の形態】図１は本発明のダイレクトプリントアダプタの構成図であり、ダイレクトプリントアダプタ（以下、アダプタ本体と記す）１０は、映像信号処理部１１、データ転送方向切換部１２、入出力制御部１３、データ処理部１４、表示処理部１５、操作部１７、および図示しないシリアルインターフェイス、パラレルインターフェイスと電源部から構成されている（更に、メモリーカードインターフェイスを設けてもよい）。【００１４】また、アダプタ本体１０には入力機器として、ビデオ機器３１、３２、デジタルカメラ４０が、出力機器としてビデオモニタ５０およびプリンタ６０がケーブルを介して接続可能であり、電源補充用にＡ／Ｃアダプタ７０が接続する。【００１５】なお、ここでいうビデオ機器はデジタルＶＣＲ、ＴＶゲーム機、ＶＴＲ、ＶＣＲ等のビデオ信号出力可能な機器をいう。また、接続するプリンタ６０はカラー印刷可能なプリンタであり、高品質なカラー画像の再現印刷が可能な濃・淡カラープリンタであることが望ましい。』（段落【００１３】〜【００１５】）、
『デジタルデータ処理部１４は操作部１７からの指示信号或いは入出力制御部１３からの信号を受けて、データ転送方向切換部１２を介しての映像系画像データのメモリー１４２への取込、メモリー１４２に格納されている画像データ及びメニュ−データのデータ転送方向切換部１２を介しての表示系への転送、シリアルインターフェイス１４５或いはメモリーカードインターフェイス１４６を介してのデジタルカメラ４０からの画像データの取込および伸張処理やデジタルカメラ４０に対する設定条件の設定／変更、メモリー１４２に格納されている画像データをカラー印刷用データに変換するための色変換処理、入出力制御部１３の制御に基づく色変換処理後の印刷用データのパラレルインターフェイス１４５を介してのプリンタへ６０の転送、操作部１７からの操作信号入力に基づく表示制御、処理モードの指定に基づくメニュー画面、設定画面、警告画面等の表示制御等を行なう。』（段落【００２３】）、
『デジタルカメラ４０の撮影結果はカメラの固定メモリー或いはメモリーカードのような取外し可能なメモリーに輝度Ｙ、色差信号Ｕ、Ｖからなるデジタル画像データとして記憶されている。なお、デジタルカメラ４０で得られた画像データは通常メモリー容量を節約するため圧縮されているが、このような場合にはデジタルデータ処理部１４は受け取った圧縮データに伸張処理を施して復元し、メモリー１４２の画像データ用領域に格納する。』（段落【００３１】）、
『画面表示プログラム１０２は、メモリー１４２に取込んだ複数の画像データ（例えば、インデックス画像）をビデオモニタ５０にｍ×ｎに整列させて表示する選択画像表示手段１０６を含んでいる。』（段落【００３９】）、
『印刷用データ処理モジュール１０５は、デジタルカメラから取込まれた圧縮画像データを伸張するデータ伸張プログラム、画素補間プログラムおよび色変換処理を行なうプリンタドライバから構成されており、メモリー１４２に取込まれた画像データを印刷用データに変換して出力する。』（段落【００４６】）、
『操作パネル９０のアイコン［＞］が押されるとデジタルカメラモードとなり（ステップＳ２）、選択画像表示手段１０６によりメモリー１４２から画像データ（インデックス画像）が取り出されデータ転送方向切換部１２および表示処理部１５を介して画像としてビデオモニタ５０に図７（ａ）に示すような画像選択画面２００として表示される（ステップＳ３）。』（段落【００５３】）、
『使用者は表示されたサムネイル画像から所望の画像を指定するためにカーソルを移動させる。カーソルは太い枠で示され、アイコン［＞］、［＜］スイッチの操作により移動する。カーソルが現在位置している場所に表示されている画像が印刷のために選択される選択画像候補となる（ステップＳ４）。』（段落【００５５】）、
『カーソルが停止している場合、画像選択確認手段としてのメモリースイッチ８９を押すと（ステップＳ７）、画像が選択され、選択されたサムネイル画像（８０×６０ピクセル）に対応する高解像度の画像データ（６４０×４８０ピクセル）がデジタルカメラ４０からメモリー１４２に取込まれ、メモリー１４２からＤＭＡ転送されて、データ転送方向切換部１２、表示処理部１５を介して１フレーム分の画像としてビデオモニタ５０に表示される（ステップＳ８）。』（段落【００５８】）、
『印刷スイッチ８７を押すとデータ処理部１４での印刷前処理（プリンタドライバによる色変換処理等）を経て（ステップＳ９）、印刷データをプリンタ６０に送信され、印刷が開始される（ステップＳ１０）。』（段落【００５９】）、
『【００６０】図４（ｂ）は画像にインデックスを付ける場合のフローチャートであり、図４（ａ）のステップＳ９とＳ１０の間にステップＳ８ー１〜Ｓ８ー４を設けて表示画像および印刷画像にインデックス（例えば、番号、記号、文字列等）付ける。【００６１】ステップＳ８ー１でインデックス付与手段１０８（当審注：１０９の誤記と認める。）は選択されたサムネイル画像とそれに対応して読み込まれた画像にインデックスを付け（ステップＳ８ー１）ビデオモニタ５０に画像と共に表示し（ステップＳ８ー２：図７（ｂ））、対応テーブルを作成する（ステップＳ８ー３）。対応表にはインデックスおよび通し番号の他、索引として必要な情報が登録される。また、選択画像の印刷用データにもインデックスをつけ、印刷画像（写真）にインデックスを印刷するようにする（ステップＳ８ー４）。【００６２】これにより、インデックスを用いて表示画像の中から所望の画像を選択（検索）するよう構成することもできる。また、図７（ｃ）のサムネイル印刷メニューを用いてインデックスを付けたサムネイル画像を一括印刷し、事後の検索に用いることもできる。』（段落【００６０】〜【００６２】）と記載されており、これらの記載及び図面を含む刊行物６によれば、刊行物６には、
『映像信号処理部１１、入出力制御部１３、データ処理部１４、表示処理部１５、操作部１７から構成されているダイレクトプリントアダプタ１０は、入力機器としてデジタルカメラ４０を、出力機器としてビデオモニタ５０およびプリンタ６０を接続し、データ処理部１４は操作部１７からの指示信号或いは入出力制御部１３からの信号を受けて、映像系画像データのメモリー１４２への取込、メモリー１４２に格納されている画像データ及びメニュ−データの表示系への転送、或いはデジタルカメラ４０からの画像データの取込および伸張処理やデジタルカメラ４０に対する設定条件の設定／変更、入出力制御部１３の制御に基づく印刷用データのプリンタ６０への転送、操作部１７からの操作信号入力に基づく表示制御、処理モードの指定に基づくメニュー画面、設定画面、警告画面等の表示制御等を行ない、デジタルカメラ４０の撮影結果はカメラの固定メモリー或いはメモリーカードのような取外し可能なメモリーにデジタル画像データとして記憶され、メモリー１４２に格納され、メモリー１４２に取込まれた画像データは、印刷用データに変換されて出力され、操作パネル９０のアイコンが押されるとデジタルカメラモードとなり、選択画像表示手段１０６によりメモリー１４２から画像データ（インデックス画像）が取り出され、データ転送方向切換部１２および表示処理部１５を介して画像としてビデオモニタ５０に画像選択画面２００として表示され、使用者は表示されたサムネイル画像から所望の画像を指定するためにアイコンスイッチの操作によりカーソルを移動させ、カーソルが現在位置している場所に表示されている画像が印刷のために選択される選択画像候補となり、画面に表示された複数のサムネイル画像をアイコン操作で選択し、印刷対象となる画像を選択するように構成され、カーソルが停止している場合、画像選択確認手段としてのメモリースイッチ８９を押すと、画像が選択され、選択されたサムネイル画像（８０×６０ピクセル）に対応する高解像度の画像データ（６４０×４８０ピクセル）がデジタルカメラ４０からメモリー１４２に取込まれ、メモリー１４２から、１フレーム分の画像としてビデオモニタ５０に表示され、印刷スイッチ８７を押すと、印刷データをプリンタ６０に送信し、印刷が開始されるように構成され、画像にインデックスを付ける場合には、表示画像および印刷画像にインデックス（番号、記号、文字列等）を付け（インデックス付与手段１０９は選択されたサムネイル画像とそれに対応して読み込まれた画像にインデックスを付ける。）、ビデオモニタ５０に画像と共に表示し、インデックスおよび通し番号の他、索引として必要な情報が登録される対応テーブルを作成し、また、選択画像の印刷用データにもインデックスをつけ、印刷画像（写真）にインデックスを印刷するようにすることにより、インデックスを用いて表示画像の中から所望の画像を選択（検索）するように構成することもでき、サムネイル印刷メニューを用いてインデックスを付けたサムネイル画像を一括印刷し、事後の検索に用いることもできるように構成されて成る、プリンタ』（以下、「刊行物６の発明」という。）が記載されている。
（４）対比・判断
　本件の請求項３乃至７は、本件訂正により削除されたので（１．手続きの経緯、２．訂正の適否についての判断の項を参照。）、以下、本件発明１、及び本件発明２について検討する。
　まず、本件の特許は、平成１０年３月１６日を特許出願日とする特願平１０−６４８７４号の特許出願（以下、「先の出願」という。）の願書に最初に添附された明細書又は図面に記載された発明に基づいて優先権を主張してなされた平成１０年１０月１４日を出願日とする特許出願（以下、「後の出願」という。）に係る特許であるところ、特許異議申立人戸叶孝一は、「本件特許は、本件の先の出願の出願日である平成１０年３月１６日を優先日とする利益を享受することができないものである。」旨主張している。
Ａ−１．特許異議申立人戸叶孝一の主張
　特許異議申立人戸叶孝一は、前示のように主張し、その理由として、
『本件の特許公報に記載された請求項１、４乃至７に係る発明は、後の出願の出願日である平成１０年１０月１４日を出願日とする明細書及び図面であって本件の特許がなされた時点の明細書及び図面（本件特許に係る特許公報に掲載されたもの。）（当審注：以下、「後出願特許明細書等」ということがある。）に記載された発明であるところ、概要、以下のア．乃至カ．のように、本件特許の特許出願の優先権の主張の基礎となる先の出願の願書に最初に添附した明細書又は図面（当審注：以下、「原明細書等」ということがある。）に記載された発明の範囲を超えたものであって、そのために、その出願日について先の出願の出願日である平成１０年３月１６日を優先日とする利益を享受することができないものである。
ア．原明細書等では、第１実施例が図１乃至１２で説明され、第２実施例が図１３乃至１６で説明されているところ、「後出願特許明細書等」（本件特許に係る特許公報）では、実施例は１個であって、図１乃至８で説明されており、しかも、原明細書等の図１乃至１６と後出願特許明細書等に記載された図１乃至８とは、重複する図面が１つもなく、すべての図面が異なっている。してみれば、後出願特許明細書等に記載された実施例は、原明細書等の実施例と異なり、原明細書等に開示されていないことは一見して分かる。
イ．原明細書等に記載された「目的」である「本発明は、上記の問題を解決するためになされたものであり、その目的は簡単な操作で複数の写真画像を選択して印刷することのできる写真画像印刷システムを提供することにある。」（段落【０００７】）と後出願特許明細書等に記載された「目的」である「【０００７】本発明は、上記の問題を解決するために案出されたものであり、デジタルカメラ等によって記録した画像について、画像を高速で印刷できるプリンタ、印刷方法及び記録媒体を提供することを目的とする。【０００８】本発明の別の目的は、デジタルカメラ等によって記録した画像について、印刷条件を単体で設定して印刷できるプリンタ、印刷方法及び記録媒体を提供することを目的とする。【０００９】本発明のまた別の目的は、デジタルカメラ等によって記録した画像について、印刷する画像を短時間で指定することができるプリンタ、印刷方法及び記録媒体を提供することにある。【００１０】本発明のまた別の目的は、パソコンの取り扱いに不慣れなユーザがデジタルカメラ等によって記録した画像を容易に印刷できるプリンタ、印刷方法及び記録媒体を提供することにある。【００１１】本発明のまた別の目的は、デジタルカメラ等によって記録した画像を印刷するのに手間のかからないプリンタ、印刷方法及び記録媒体を提供することにある。」（段落【０００７】ないし【００１１】）は異なり、本件特許の各請求項に係る発明の「目的」は、原明細書等に記載された発明の「目的」を越えて拡大されている。
ウ．後出願特許明細書等に記載された請求項１に係る発明の構成とする「搬送部」は、原明細書等に記載されていない。
エ．後出願特許明細書等に記載された請求項１に係る発明の構成とする「脱着可能な記録媒体に保存されている画像データ及びサムネイル画像データを取得するデータ取得部」は、原明細書等に記載されていない。
オ．後出願特許明細書等に記載された請求項１に係る発明の構成とする「前記サムネイル画像データに基づいて紙1枚につき複数のサムネイル画像及びそれぞれのサムネイル画像に対応する識別コードを印刷するように前記印刷部及び搬送部を制御し、」は、原明細書等に記載されていない。
カ．前示のイ．乃至オ．は、後出願特許明細書等に記載された請求項４乃至７に係る発明についても同様の趣旨で当てはまる。』
旨主張し（以上ア．〜カ．は、平成１３年１２月１４日付けの特許異議審尋回答書第２頁（３）審尋に対する回答の項）、更に、特許異議申立人戸叶孝一は、
『キ．本件訂正明細書に記載された請求項１に係る発明についても原明細書等との相違が一層明白となり、本件発明１は、本件の先の出願の出願日である平成１０年３月１６日を優先日とする利益を享受することが出来ない。』旨主張している（キ．は、平成１４年８月１２日付けの特許異議審尋回答書第２頁（３）審尋に対する回答の項、第２頁第１５行〜第２０行）。
　また、特許異議申立人相原光政は、
『ク．サムネイル画像データを更に粗い画像に変換するような記載は見当たらない。従って、本件訂正は、出願当初の明細書から直接的且つ一義的に導き出される範疇を越えたものとなっている。』旨主張している（平成１４年８月１９日付けの回答書第４頁第９行〜第１６行）。
　そこで、以下のＡ−２．Ａ−３において、本件発明１及び本件発明２が先の出願日を優先日とする利益を享受できるか否かについて検討する。
Ａ−２．訂正後の請求項１に係る発明について
　訂正後の請求項１に係る発明である本件発明１は、本件の先の出願の出願日である平成１０年３月１６日を優先日とする利益を享受できるものである。
　その理由は、次の（１）〜（４）とおりである。
（１）国内優先権制度においては、先の出願の原明細書等に記載された発明を基礎として後の出願に改良発明等を累積的に取り込んだ内容で特許出願できる。
　そして、優先権は、特許出願に係る発明、即ち特許請求の範囲に記載された発明について主張するものであり、その優先権の主張は先の出願の出願当初の明細書又は図面に記載された発明が基礎となるものであるから、当該後出願に係る発明が、その特許請求の範囲に原明細書等に記載されていない事項（以下、この原明細書等に記載されていない事項を「原明細書等欠載事項」ということがある。）を備えている場合であっても、後出願特許明細書等に記載された原明細書等欠載事項以外の事項や当該出願時点の技術水準等に基づくと原明細書等から導き出すことができる場合には、先の出願の出願日を優先日とする利益を享受できるものである。
　しかしながら、後出願特許明細書等の特許請求の範囲に記載された事項が原明細書等に記載された事項と一致せず、原明細書等に記載された事項から導き出すことができない事項である場合は、当該後出願の請求項に係る発明ないし当該後出願の請求項に係る発明の特許については、先の出願の出願日を優先日とする利益を享受できるものではない。
　このように、先の出願の国内優先の利益を受けることができる場合に当たると判断するか否かは、当該原明細書等欠載事項そのもの又は原明細書等欠載事項と表現は異なってはいるが当該原明細書等欠載事項を取り込む作用ないし機能を果たす事項が後の出願の明細書の特許請求の範囲の請求項に記載されているか否かあるいは当該出願時点の技術水準等によって異なり、請求項毎に個別具体的に判断されなければならない。
（２）これを本件の原明細書等、後出願特許明細書等、及び訂正明細書等について検討すると、本件特許に係る明細書及び図面である後出願特許明細書等に記載された実施例を含む発明の詳細な説明および図１乃至８には、原明細書等に記載されていず、且つ、図１乃至８の表示部における各セクションにおいて、原明細書等に記載されていないために原明細書等から導き出すことができない事項が認められる。
　即ち、本件の図面の図３，図４、図５、図７、及び図８における表示部４に登載された「画質」、「自動調整」、「範囲指定」、「カメラ指定」、「フイルタ番号」、「フレーム」、「フイルタ」、及び本件の後出願特許明細書等の発明の詳細な説明に登載された「高画質」と「高速」と「超高画質」と「粗い画質」と「高速印刷」（以上、後出願特許明細書等の段落【００４０】参照。）、「高画質」（同段落【００４８】参照。）、「高速の画質」（同段落【００５１】参照。）、及び「高画質」（同段落【００５４】参照。なお、段落【０００３】の「画質が低い」及び段落【０００５】の「高画質化」は、共に従来の技術についての説明において表記されたものである。）の各事項は、原明細書等に記載されていない事項である（以下、これらの原明細書等に記載されていない事項を「原明細書等欠載事項１」という。）。
（３）次に、本件発明１の（Ａ）〜（Ｇ）を特定する事項が原明細書等に記載されていて且つ原明細書等に記載された事項から導き出すことができるか否かを検討する。
　まず、本件発明１の（Ａ）の「搬送手段」は、原明細書等の段落【００６５】の「図示しない紙送り手段」という記載、段落【００６７】の「紙１３１の移動方向に」及び「排紙蓄積部１３８」という記載（図１３の「１３１」）によれば、原明細書等に包含されていると認められる。
　本件発明１の（Ｂ）の「脱着可能な記録媒体に保存されている画像データ及びサムネイル画像データを取得するデータ取得部と、」は、原明細書等の段落【００２２】の「写真画像データの読み込み先が選択されると、（中略）写真データが読み込まれる（Ｓ１０６）（中略）複数のサムネイルをモニタ２０に表示させる。この行程では、縮小データのみを読み込みこと（当審注：「込む」の誤記と認められる。）も可能である。」によれば、原明細書等に包含されていると認めることができる。
　本件発明１の（Ｃ）の「識別コード」、「表示部」は、原明細書等の【請求項１】の「表示部」、段落【００２４】の「インデックスプリント時には、写真が記憶されている順番を示す写真番号が各写真画像の近傍に表示される」によれば、原明細書等に記載されていると認めることができる。
　本件発明１の（Ｄ）の「識別コードを切り替える画像選択手段」は、原明細書等の【請求項１】の「写真画像を選択する手段」、段落【００２４】の「インデックスプリント時には、写真が記憶されている順番を示す写真番号が各写真画像の近傍に表示される」によれば、原明細書等に記載されていると認めることができる。
　本件発明１の（Ｅ）の「前記サムネイル画像データに基づいて紙１枚につき複数のサムネイル画像及びそれぞれのサムネイル画像に対応する識別コードを印刷するように前記印刷部及び搬送部を制御し、」は、原明細書等の段落【０００８】の「複数の写真画像から印刷する写真画像を選択して印刷部で連続して印刷することができる」、段落【００２４】の「インデックスプリント時には、写真が記憶されている順番を示す写真番号が各写真画像の近傍に表示される」によれば、原明細書等に記載されていると認めることができる。
　本件発明１の（Ｆ）の「前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、」は、原明細書等の段落【００５７】の「デフォルト枚数」、【請求項１】の「写真画像を選択する手段」、段落【００２４】の「インデックスプリント時には、写真が記憶されている順番を示す写真番号が各写真画像の近傍に表示される」によれば、原明細書等に記載されていると認めることができる。
　次に、本件発明１の（Ｇ）の「前記表示部に表示された識別コードに対応する前記画像データを印刷するように前記印刷部及び前記搬送部を制御する制御部と、を備えることを特徴とするプリンタ。」は、【請求項１】の「印刷部」、【請求項２】の「写真画像を印刷するか否かを切り替える」、段落【００２４】の「インデックスプリント時には、写真が記憶されている順番を示す写真番号が各写真画像の近傍に表示される」によれば、原明細書等に記載されていると認めることができる。
　そして、本件発明１の（Ａ）〜（Ｇ）には、その発明を特定する事項において上記原明細書等欠載事項１に当たる事項は認められない。
　なお、本件特許に係る特許公報に記載された請求項４乃至７は削除されている。
　そうすると、本件発明１の（Ａ）〜（Ｇ）については、その発明を特定する事項において、上記原明細書等欠載事項１に当たる事項は認められないから、本件発明１の特許は先の出願の出願日を優先日とする利益を享受できるものである。
　なお、Ａ−１．において、特許異議申立人戸叶孝一が原明細書に記載されていないと主張する本件発明１の（Ａ）の「搬送手段」、（Ｂ）の「データ取得部」、及び（Ｅ）の「制御」については、Ａ−４．においても説示する。
（４）以上（１）〜（３）によれば、訂正後の請求項１に係る発明である本件発明１は、本件の先の出願の出願日である平成１０年３月１６日を優先日とする利益を享受できるものである。
Ａ−３．訂正後の請求項２に係る発明について
　訂正後の請求項２に係る発明である本件発明２は、先の出願の出願日である平成１０年３月１６日を優先日とする利益を享受できるものではない。
　その理由は、以下の（１）〜（３）とおりである。
（１）まず、本件発明２は本件発明１を引用し更に本件発明１の「制御部」について（Ｈ）の「前記制御部は、前記データ取得部が前記記録媒体からサムネイル画像データを取得するときは当該サムネイル画像データに基づいて粗い画質で高速印刷するように前記印刷部及び搬送部を制御し、前記データ取得部が前記表示部に表示された識別コードに対応する前記画像データを前記記録媒体から取得するときは、当該画像データに基づいて高画質で印刷するように前記印刷部及び搬送部を制御すること」事項を付加して限定したものであるから、本件発明２において本件発明１を引用している事項については、Ａ−２．の説示が当てはまる。
（２）しかしながら、当該限定事項中、「前記制御部は、前記データ取得部が前記記録媒体からサムネイル画像データを取得するときは当該サムネイル画像データに基づいて粗い画質で高速印刷するように前記印刷部及び搬送部を制御し、前記データ取得部が前記表示部に表示された識別コードに対応する前記画像データを前記記録媒体から取得するときは、当該画像データに基づいて高画質で印刷するように前記印刷部及び搬送部を制御すること」における「当該サムネイル画像データに基づいて粗い画質で高速印刷するように前記印刷部及び搬送部を制御し」の事項は、前示Ａ−２．において原明細書等欠載事項１であるとして摘示した「画質」、「自動調整」、「範囲指定」、「カメラ指定」、「フイルタ番号」、「フレーム」、「フイルタ」、『「高画質」と「高速」と「超高画質」と「粗い画質」と「高速印刷」』（本件特許公報段落【００４０】参照。）、「高画質」（同段落【００４８】参照。）、「高速の画質」（同段落【００５１】参照。）、及び「高画質」（同段落【００５４】参照。）の事項のうちの一である「粗い画像」の事項を含めて特許請求の範囲の請求項２に係る発明の構成とするものであって、「粗い画像」の「粗さ」の基準は原明細書等に記載されていないので不明であり、「粗い画質で高速印刷」の原明細書等による技術的裏付けも不明であって、原明細書等に記載された事項によって導き出されるものではないと認められるから（平成１４年４月１１日付け取消理由通知書において付記事項として摘示したとおりである。）、更に、当該「粗い画質」による印刷によれば、サムネイル画像の印刷にあたって「さらに印刷の高速化」が可能となる優れた効果を奏する（特許権者の平成１４年６月２４日付け意見書第３頁下から１２〜第４頁７行参照。）ことも、同様に原明細書等には記載されていず、また原明細書等に記載された事項によって導き出されるものとは認められない。
　そして、前示の原明細書等欠載事項である「粗い画質」が当業者にとって自明であることを認めるに足りる事実は認められない。
（３）そうすると、本件発明２は、原明細書等に記載されていない事項ないし原明細書等から導き出すことができない事項を、その発明を特定する事項とするものであるから、特許請求の範囲の請求項に記載において、当該限定事項中に「粗い画質」を取り込んだ訂正後の請求項２に係る発明である本件発明２は、本件の先の出願の出願日である平成１０年３月１６日を優先日とする利益を享受できるものではない。
Ａ−４．特許異議申立人戸叶孝一、相原光政の主張について
　Ａ−１．において掲載した特許異議申立人戸叶孝一、及び相原光政の主張に対しては、下記のａ．〜ｉ．のとおりである。
ａ．上記ア．について
　いわゆる国内優先権制度においては、先の出願の原明細書等に記載された発明を基礎として後の出願に改良発明等を取り込んだ内容で特許出願できるのであるから、本件の後出願特許明細書等に記載された実施例の数について原明細書等における記載と変動があっても、また、本件の後出願特許明細書等に記載された図１乃至８において、原明細書等の図面と重複する図面が１つもなく、すべての図面が異なっていても、なんら差し支えがないものである。
ｂ．イ．について
　まず、本件の後の出願に係る明細書の段落【０００８】に記載された「本発明は、（中略）デジタルカメラ等によって記録した画像について、印刷する画像を単体で指定して印刷できるプリンタ、印刷方法及び記録媒体を提供することである。」は、原明細書等の段落【０００１】の「デジタルスチルカメラ」という記載及び段落【０００７】の「本発明は上記の問題を解決するためになされたものであり、その目的は簡単な操作で複数の写真画像を選択して印刷することのできる写真画像印刷システムを提供することにある。」という記載によれば、原明細書等に包含されていると認められる。また、本件の後の出願に係る明細書の段落【０００９】ないし【００１１】に記載された目的も同様に原明細書等に包含されていると認められる。
　次に、本件訂正明細書に記載された「目的」（段落【０００８】）「本発明は、（中略）デジタルカメラ等によって記録した画像について、画像を高速で印刷できるプリンタを提供することができる。」は、原明細書等の段落【０００１】の「デジタルスチルカメラ」という記載及び段落【０００７】の「本発明は上記の問題を解決するためになされたものであり、その目的は簡単な操作で複数の写真画像を選択して印刷することのできる写真画像印刷システムを提供することにある。」という記載によれば、原明細書等に包含されていると認められる。また、本件訂正明細書の段落【０００９】ないし【００１１】に記載された目的も同様に原明細書等に包含されていると認められる。
ｃ．上記ウ．について
　本件発明１の（Ａ）の「搬送手段」は、原明細書等の段落【００６５】の「図示しない紙送り手段」という記載、段落【００６７】の「紙１３１の移動方向に」及び「排紙蓄積部１３８」という記載（図１３の「１３１」）によれば、原明細書等に包含されていると認められる。
ｄ．上記エ．について
　本件発明１の（Ｂ）の「脱着可能な記録媒体に保存されている画像データ及びサムネイル画像データを取得するデータ取得部と、」は、原明細書等の段落【００２２】の「写真画像データの読み込み先が選択されると、（中略）写真データが読み込まれる（Ｓ１０６）（中略）複数のサムネイルをモニタ２０に表示させる。この行程では、縮小データのみを読み込みこと（当審注：「込む」の誤記と認められる。）も可能である。」によれば、原明細書等に包含されていると認めることができる。
ｅ．上記オ．について
　本件発明１の（Ｅ）の「前記サムネイル画像データに基づいて紙１枚につき複数のサムネイル画像及びそれぞれのサムネイル画像に対応する識別コードを印刷するように前記印刷部及び搬送部を制御し、」は、原明細書等の段落【０００８】の「複数の写真画像から印刷する写真画像を選択して印刷部で連続して印刷することができる」、段落【００２４】の「インデックスプリント時には、写真が記憶されている順番を示す写真番号が各写真画像の近傍に表示される」によれば、原明細書等に記載されていると認めることができる。
ｆ．上記カ．について
　本件特許に係る特許公報に記載された請求項４乃至７は削除されている。
ｇ．上記キ．について
　上記ａ．〜ｆ．は、本件訂正明細書に記載された請求項１に係る発明についても同様の趣旨で当てはまる。
ｈ．上記ク．について
　本件発明２には、Ａ−３．において説示するように、前示の優先日の利益を享受することを遮断する事項が存在し、訂正後の請求項２に係る発明である本件発明２の特許については、本件の先の出願の出願日である平成１０年３月１６日を優先日とする利益を享受できないものであるから、相原光政の同主旨の主張は理由がある。また、『本件訂正明細書に記載された請求項１に係る発明についても原明細書等との相違が一層明白となり、本件発明１は、先の出願の出願日である平成１０年３月１６日を優先日とする利益を享受できないものである。』旨の戸叶孝一の主張は、Ａ−２．において説示するとおり、前示の優先日の利益を享受することを遮断する事由が認められないから、理由がない。
Ｂ．本件発明１、２の特許要件について
Ｂ−１．本件発明１について
　本件発明１と刊行物１の発明を比較すると、
　刊行物１の発明の『印刷手段』は、本件発明１の（Ａ）の「印刷を行う印刷部」に対応する。
　刊行物１の発明の『ストレージ部５内に装着された光ディスク２０』は、本件発明１の（Ｂ）の「脱着可能な記録媒体」に対応する。
　刊行物１の発明の『光ディスク２０に記憶されている高解像度画像データと中間解像度画像データとインデックス画像データを読み出すストレージ部５』は、本件発明１の（Ｂ）の「脱着可能な記録媒体に保存されている画像データ及びサムネイル画像データを取得するデータ取得部」に対応する。
　刊行物１の発明の『関連情報（画像ディレクトリを示す番号、高解像度画像データの記録モードを示す符号、画像番号）』は、本件発明１の（Ｃ）の「前記画像データの識別コード」に対応する。
　刊行物１の発明の『画像データに応じた静止画像が表示されるモニタ装置９』は、本件発明１の（Ｃ）の「前記画像データの識別コードを表示する表示部」に対応する。
　刊行物１の発明の『１枚のプリント紙４０に複数の低解像度の画像（インデックス画像）が画像印画部５１に、及び各低解像度の画像（インデックス画像）に対応する関連情報（画像ディレクトリを示す番号、高解像度画像データの記録モードを示す符号、画像番号）が関連情報印画部５２に印刷される』は、本件発明１の（Ｅ）の「前記サムネイル画像データに基づいて紙1枚につき複数のサムネイル画像及びそれぞれのサムネイル画像に対応する識別コードを印刷するように前記印刷部を制御し」に対応する。
　しかしながら、第１に、本件発明１がその（Ｄ）の「前記表示された識別コードを切り替える画像選択手段」を備えているものであるのに対し、刊行物１の発明はその（Ｄ）の事項に対応するように規定しているものではなく、且つ、その（Ｆ）の「前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし」、更に、その（Ｇ）の「前記表示部に表示された識別コードに対応する前記画像データを印刷するように前記印刷部及び前記搬送部を制御する」という「制御部」を備えているものであるのに対し、刊行物１の発明はこれらの（Ｆ）及び（Ｇ）の事項に対応する事項について規定しているものではない。
　第２に、本件発明１がその（Ａ）の「前記印刷部に紙を搬送する搬送部」を備え、且つ、その（Ｆ）及び（Ｇ）における「搬送部」を制御の対象としているものであるのに対し、刊行物１の発明は搬送部について規定しているものではない。
　そうすると、双方の発明は、プリンターとして、「印刷を行う印刷部を備えるプリンタであって、脱着可能な記録媒体に保存されている画像データ及びサムネイル画像データを取得するデータ取得部と、前記画像データの識別コードを表示する表示部と、前記サムネイル画像データに基づいて紙1枚につき複数のサムネイル画像及びそれぞれのサムネイル画像に対応する識別コードを印刷するように前記印刷部を制御する制御部を有するもの」である点で一致し、次の点において相違する。
（相違点）
　第１に、本件発明１が、（Ｄ）の「前記表示された識別コードを切り替える画像選択手段と」更に（Ｆ）の「前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、前記表示部に表示された識別コードに対応する前記画像データを印刷するように前記印刷部及び前記搬送部を制御する制御部」を備えるものであるのに対し、刊行物１の発明は、そのように規定しているものではなく、『インデックス画像データと一緒にディレクトリ番号及びインデックス画像番号をプリントされるインデックスカードを見るだけで、ディスクを記録再生装置に装着して、どのディレクトリに所望の画像データが記録されているかを検索することなく、ディレクトリ番号及びインデックス画像番号を指定して、所望の画像を再生することができる。』ように、『モニタ装置９に表示されたインデックス画像の中からユーザ所望の画像の指定の有無に応じて、指定されたインデックス画像に対応する高解像度画像ファイル又は中間解像度画像ファイルを検索し、検索された中間解像度の画像ファイルのモニタ表示が指定されたか否かを判別し、指定された場合は、再生された中間解像度の画像ファイルを表示するようにモニタ装置９を表示制御すると共に、検索された高解像度の画像ファイルを読み出すようにディスク記録再生部５ｃを制御し、これをメインメモリ１１ａを介してプリンタ部２に供給し、プリントの指示があった場合、読み出した低解像度の画像データに基づいて１枚のプリント紙４０に複数の低解像度の画像（インデックス画像）が画像印画部５１に、及び各低解像度の画像（インデックス画像）に対応する関連情報（画像ディレクトリを示す番号、高解像度画像データの記録モードを示す符号、画像番号）が関連情報印画部５２に印刷されるように制御するように構成されている画像データ印刷装置。』である点で相違する（以下、「相違点１」という。）。
　第２に、プリンタが備える「搬送部」について、
ａ．本件発明１が、（Ａ）の「前記印刷部に紙を搬送する搬送部」を備えるものであるのに対し、刊行物１の発明がそのように規定しているものではない点。
ｂ．本件発明１が、（Ｅ）の「前記サムネイル画像データに基づいて紙1枚につき複数のサムネイル画像及びそれぞれのサムネイル画像に対応する識別コードを印刷する」際に併せて「搬送部」をも制御するものであるのに対し、刊行物１の発明がそのように規定しているものではない点。
ｃ．本件発明１、（Ｆ）の「前記識別コードを前記表示部にデフォルト表示させて前記表示された識別コードに対応する前記画像データを前記印刷部で印刷可能な状態であって前記表示部に表示された識別コードを前記画像選択手段で切り替え可能な状態にし」の事項に併せて更に「及び前記搬送部で印刷可能な状態であって」と規定しているものであるのに対し、刊行物１の発明がそのように規定しているものではない点。
ｄ．本件発明１、（Ｇ）の「前記表示部に表示された識別コードに対応する前記画像データを印刷するように前記印刷部を制御する制御部と」の事項に併せて更に「及び前記搬送部を制御する制御部と」と規定しているものであるのに対し、刊行物１の発明がそのように規定しているものではない点。（以下、ａ．〜ｄ．を総称して「相違点２」という。）
　上記相違点について検討する。
　まず、相違２について検討すると、一般に、プリンタにおいては記録紙を移送する搬送部を設けることは常用のことであり、且つ、刊行物２（特開平８ー３０７５８９号公報）において『記録紙を搬送するベルト１２７』（段落【００３３】）と記載されているように周知のものであるから、当業者が相違点２のａ．〜ｄ．において「搬送部」を設け、「搬送部」を制御の対象とすることについて想到することが困難であるとは認められない。
　次に、相違点１について検討する。
　刊行物２（特開平８ー３０７５８９号公報）の発明は、『デジタル複写装置において、デジタルスチルカメラによって記録された記憶媒体３０２を読込むための記憶装置１１１及びインターフェースボード１１０が設けられており、記憶媒体に記憶している全ての画像データおよび画像データに付随したテキストデータの出力画像例を印刷する場合には、記憶媒体３０２の画像データと、それに付随するテキストデータをビットデータに展開したものを、その画像データの近傍位置に配置させ、印刷する。』ものであり、また、刊行物３（特開平１ー２２３５３０号公報）の発明は、『印刷順序列に従って印刷中に、新たな印刷要求が発生した場合で、割込み印刷要求がなされているときに、次に印刷する文字データを新たに発生した印刷要求のデータに書き換える』ものであって、共に、本件発明１のように「前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、前記表示部に表示された識別コードに対応する前記画像データを印刷するように前記印刷部及び前記搬送部を制御する制御部」を備え、「識別コード」そのものを「印刷可能な状態であって切り替える」ことによって「印刷進行中に次に印刷したい写真の識別コードの指定を連続して行うことができ、ひいては１コマごとに印刷が終わるのを待って次に印刷する画像の識別コードの指定をする必要がない」（段落【００５９】）ものであるとは認められない（原明細書等の段落【０００８】の「入力部により処理選択ボタンを押すことにより、（中略）制御部が実行する処理を選択する。（中略）複数の写真画像から印刷する写真画像を選択して印刷部で連続して印刷することができるため、簡単な操作で記憶媒体に記憶された複数の写真画像を確認しながら、必要な写真画像を選択して印刷することができる。」参照。）。そうすると、刊行物２、３の発明は、相違点１を当業者が想到するに至るに当たって起因ないし契機となる事項を備えているものではない。
　刊行物４（特開平８ー３２９１１号公報）の発明の『プリントの電源が入ると、現在のピクチャーナンバーを表示し、送りスイッチ、戻しスイッチによって選択されたコマの画像をプリントすること』における現在のピクチャーナンバーは、最後に撮影した画像のピクチャーナンバーであり、電源投入時に表示されるものであるから、本件発明１の「デフォルト表示」に符合する事項を備えているものである。
　しかしながら、刊行物４の発明の『送りスイッチ、戻しスイッチによって選択されたコマの画像をプリントする』事項は、画像を切り替えるものではあるが、その画像の切り替えの態様において、本件発明１のように、「前記識別コードを前記表示部にデフォルト表示させて前記表示された識別コードに対応する前記画像データを前記印刷部及び前記搬送部で印刷可能な状態」であって、その上で「前記表示部に表示された識別コードを前記画像選択手段で切り替え可能な状態にし、前記表示部に表示された識別コードに対応する前記画像データを印刷するように前記印刷部及び前記搬送部を制御する制御部」を備え、「識別コード」そのものを「印刷可能な状態であって切り替える」ことによって「印刷進行中に次に印刷したい写真の識別コードの指定を連続して行うことができ、ひいては１コマごとに印刷が終わるのを待って次に印刷する画像の識別コードの指定をする必要がない」（段落【００５９】）ものとは認められない（同様に、原明細書の段落【０００８】参照。）。
　そうすると、刊行物４の発明は、当業者が相違点１を想到するに当たって起因ないし契機となる事項を備えているものではない。
　刊行物５（特開平５ー１７６１５８号公報）の『着脱可能にＣＤ再生装置２０に装着された光ディスク２６に記録されている画像データ、インデックス画像１２２のデータを読み出す画像データ読出し装置であるＣＤ再生装置２０が、中央処理装置１０にインタフェースされ、中央処理装置１０は、画像をインデックスプリントシート１２０に印刷するプリンタ３０を備え、ＣＤ再生装置２０から入力される画像信号のヘッダＨを識別し、インデックス画像データＩを識別・検出し、受信した画像データＩは一時記憶メモリ１２に記憶するとともに、その画像１２２をモニタ表示器４０に表示し、操作者は、モニタ表示器４０の表示画像を確認し、インデックスプリントの指示を操作装置１８から入力し、これに応動して中央処理装置１０は、枠画像１２０ｂとインデックス画像１２２を構成する個々の縮小画像１２０ａのナンバリングやタイトルなどの文字を含む補助画像をそのときに使用するプリンタ３０のドット解像度に応じた画素数の画像データに変換して合成する画像編集をおこない、結果の画像データはプリンタ３０にてインデックス画像１２２の印刷が実行されるように制御する画像印刷装置。』における『入力される画像信号のヘッダＨを識別し、インデックス画像データＩを識別・検出し、受信した画像データＩを一時記憶メモリ１２に記憶し、その画像１２２をモニタ表示器４０に表示し、インデックスプリントの指示を操作装置１８から入力することによって、枠画像１２０ｂとインデックス画像１２２を構成する縮小画像１２０ａのナンバリングやタイトルなどの文字を含む画像データをインデックス画像１２２として印刷される』事項は、その制御の態様において、本件発明１のように「識別コード」そのものを「前記識別コードを前記表示部にデフォルト表示させて前記表示された識別コードに対応する前記画像データを前記印刷部及び前記搬送部で印刷可能な状態」であって、その上で「前記表示部に表示された識別コードを前記画像選択手段で切り替え可能な状態にし、前記表示部に表示された識別コードに対応する前記画像データを印刷するように前記印刷部及び前記搬送部を制御する制御部」を備え、「識別コード」そのものを「印刷可能な状態であって切り替える」ことによって「印刷進行中に次に印刷したい写真の識別コードの指定を連続して行うことができ、ひいては１コマごとに印刷が終わるのを待って次に印刷する画像の識別コードの指定をする必要がない」（段落【００５９】）ようにするものとは認められない（同様に、原明細書の段落【０００８】参照。）。
　そうすると、刊行物５の発明は、当業者が相違点１を想到するに当たって起因ないし契機となる事項を備えているものではない。
　なお、刊行物６（特開平１０−１２６７２４号公報）は、本件発明１、すなわち、本件の請求項１に係る発明の優先日後に頒布された刊行物であるから、特許法第２９条第２項において規定する「その出願前国内において頒布された刊行物」に当たらず、本件発明１についての判断においては、立ち入るまでもない。
　したがって、刊行物１乃至５には、相違点１については、当業者が想到するに至るに当たって起因ないし契機となる発明は認められない。
　そして、本件発明１は、上記の一致点及び相違点の事項を備えることにより「記録媒体に保存された画像データの識別コードが表示部にデフォルト表示され、当該表示された識別コードに対応する画像データを印刷可能であって且つ表示部に表示された識別コードを画像選択手段で切り替え可能な状態に制御されつつ、「１コマ印刷キーを押して１コマずつ印刷するとき、印刷進行中に次に印刷したい写真の識別コードの指定を連続して行うことができる。このため、複数コマの焼き増しを行うときに１コマごとに印刷が終わるのを待って次に印刷する画像の識別コードの指定をする必要がなく、快適に連続印刷を実行することができる。」（段落【００５９】）、「第１制御方式によりサムネイル画像を呼び出して印刷することができるため、画像を短時間で印刷することができ（段落【００６０】）、印刷する画像を指定するためのインデックスを単体で印刷して識別コードを設定することができるので、プリンタ単体で印刷する画像を指定することができ（段落【００６１】）、第１制御方式によりサムネイル画像を呼び出してインデックスを印刷することができるため、プリンタ単体で印刷する画像を短時間で指定することができ（段落【００６２】）、パソコンに接続して印刷する画像を指定する必要がないため、パソコンの扱いに慣れていないユーザがデジタルカメラ等によって記録した画像を容易に印刷することができる。また、テレビに接続して印刷する画像を指定する煩わしさがなく、手軽に撮影した画像データを印刷することができる（段落【００６２】）」という効果を奏することができるものである。
　そうとすると、本件発明１は、刊行物１〜５に記載された発明に基づいて当業者が想到することができたものではない。
Ｂ−２．本件発明２について
　本件発明２は、本件発明１に更に（Ｈ）の「前記制御部は、前記データ取得部が前記記録媒体からサムネイル画像データを取得するときは当該サムネイル画像データに基づいて粗い画質で高速印刷するように前記印刷部及び搬送部を制御し、前記データ取得部が前記表示部に表示された識別コードに対応する前記画像データを前記記録媒体から取得するときは、当該画像データに基づいて高画質で印刷するように前記印刷部及び搬送部を制御すること」の事項（以下、「付加事項」という。）を付加して限定したものである。
　そこで、本件発明２と刊行物１〜５の発明と比較すると、本件発明２の前示の付加事項以外の「（Ａ）印刷を行う印刷部と、前記印刷部に紙を搬送する搬送部とを備えるプリンタであって、（Ｂ）脱着可能な記録媒体に保存されている画像データ及びサムネイル画像データを取得するデータ取得部と、（Ｃ）前記画像データの識別コードを表示する表示部と、（Ｄ）前記表示された識別コードを切り替える画像選択手段と、（Ｅ）前記サムネイル画像データに基づいて紙1枚につき複数のサムネイル画像及びそれぞれのサムネイル画像に対応する識別コードを印刷するように前記印刷部及び搬送部を制御し、（Ｆ）前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、（Ｇ）前記表示部に表示された識別コードに対応する前記画像データを印刷するように前記印刷部及び前記搬送部を制御する制御部と、を備えること」については、前示のＢ−１．における説示がそのまま当てはまるので、前示のＢ−１．における説示を援用し、更に、付加事項については、刊行物２〜５には、記載乃至示唆する事項は認められず、刊行物２〜５の発明は、当業者が付加事項を想到するに当たって起因ないし契機となる事項を備えているものではない。
　そうすると、Ｂ−１．の説示を援用し、本件発明２は、当業者が刊行物１乃至５の発明に基いて想到することができたものではない。
　ところで、本件発明２（訂正後の請求項２に係る発明）は、前示の（４）対比・判断のＡ．本件の特許出願の優先日についての項のＡ−１．〜Ａ−４．において説示したように、先の出願の出願日である平成１０年３月１６日を優先日とする利益を享受できるものではない。刊行物６は本件特許の出願前である平成１０年５月１５日に公開された刊行物であるから、本件発明２の特許要件について法的判断をするに当たり、特許法第２９条第２項において規定する「その出願前国内において頒布された刊行物」に当たるものである。
　そこで、本件発明２についての特許要件の判断として、以下のように、前示の（Ａ）〜（Ｇ）及び付加事項（Ｈ）から成る本件発明２と刊行物６の発明とを比較・検討する。
　刊行物６の発明の『プリンタ部６０』は、本件発明２の（Ａ）の「印刷を行う印刷部」に対応する。
　刊行物６の発明の『メモリカードのような取外し可能なメモリー』は、本件発明２の（Ｂ）の「脱着可能な記録媒体」に対応する。
　刊行物６の発明の『データ処理部１４』は、本件発明２の（Ｂ）の「脱着可能な記録媒体に保存されている画像データ及びサムネイル画像データを取得するデータ取得部」における「データ取得部」に対応する。
　刊行物６の発明の『メモリカードのような取外し可能なメモリーに記憶されているデジタル画像』は、本件発明２の（Ｂ）の「脱着可能な記録媒体に保存されている画像データ及びサムネイル画像データを取得するデータ取得部」における「画像データ」に対応する。
　刊行物６の発明の『サムネイル画像』は、本件発明２の（Ｂ）の「脱着可能な記録媒体に保存されている画像データ及びサムネイル画像データを取得するデータ取得部」における「サムネイル画像データ」に対応する。
　刊行物６の発明の『インデックス（番号、記号、文字列）』は、本件発明２の（Ｃ）のの「前記画像データの識別コード」に対応する。
　刊行物６の発明の『ビデオモニタ５０』は、本件発明１の（Ｃ）の「表示部」に対応する。
　刊行物６の発明の『アイコンスイッチ及びメモリスイッチ８９』は、『使用者は表示されたサムネイル画像から所望の画像を指定するためにアイコンスイッチの操作によりカーソルを移動させ、カーソルが現在位置している場所に表示されている画像が印刷のために選択される選択画像候補となり、画面に表示された複数のサムネイル画像をアイコン操作で選択し、印刷対象となる画像を選択するように構成され、カーソルが停止している場合、画像選択確認手段としてのメモリースイッチ８９を押すと、画像が選択され、選択されたサムネイル画像（８０×６０ピクセル）に対応する高解像度の画像データ（６４０×４８０ピクセル）がデジタルカメラ４０からメモリー１４２に取込まれ、メモリー１４２から、１フレーム分の画像としてビデオモニタ５０に表示され、インデックスを用いて表示画像の中から所望の画像を選択（検索）するように構成され』るから、本件発明２の（Ｄ）の「前記表示された識別コードを切り替える画像選択手段と」に対応する。
　刊行物６の発明の『サムネイル印刷メニューを用いてインデックスを付けたサムネイル画像を一括印刷し、事後の検索に用いることもできるように構成されて成る』は、本件発明１の（Ｃ）の「前記サムネイル画像データに基づいて紙1枚につき複数のサムネイル画像及びそれぞれのサムネイル画像に対応する識別コードを印刷するように前記印刷部及び搬送部を制御し」における「及び搬送部」を除いた「前記サムネイル画像データに基づいて紙1枚につき複数のサムネイル画像及びそれぞれのサムネイル画像に対応する識別コードを印刷するように前記印刷部を制御し」に対応する。
　刊行物６の発明の『画面に表示された複数のサムネイル画像をアイコン操作で選択し、印刷対象となる画像を選択するように構成され、カーソルが停止している場合、画像選択確認手段としてのメモリースイッチ８９を押すと、画像が選択され、選択されたサムネイル画像（８０×６０ピクセル）に対応する高解像度の画像データ（６４０×４８０ピクセル）がデジタルカメラ４０からメモリー１４２に取込まれ、メモリー１４２から、１フレーム分の画像としてビデオモニタ５０に表示され、（中略）インデックスを用いて表示画像の中から所望の画像を選択（検索）するように構成され』は、本件発明２の（Ｆ）の「前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし」における「デフォルト表示させて」及び「及び前記搬送部」を除いた「前記識別コードを前記表示部に表示させて前記表示された識別コードに対応する前記画像データを前記印刷部で印刷可能な状態であって前記表示部に表示された識別コードを前記画像選択手段で切り替え可能な状態にし」に対応する。
　刊行物６の発明の『画面に表示された複数のサムネイル画像をアイコン操作で選択し、印刷対象となる画像を選択するように構成され、カーソルが停止している場合、画像選択確認手段としてのメモリースイッチ８９を押すと、画像が選択され、選択されたサムネイル画像（８０×６０ピクセル）に対応する高解像度の画像データ（６４０×４８０ピクセル）がデジタルカメラ４０からメモリー１４２に取込まれ、メモリー１４２から、１フレーム分の画像としてビデオモニタ５０に表示され、印刷スイッチ８７を押すと、印刷データをプリンタ６０に送信し、印刷が開始されるように構成され、（中略）インデックスを用いて表示画像の中から所望の画像を選択（検索）するように構成され』は、本件発明２の（Ｇ）の「前記表示部に表示された識別コードに対応する前記画像データを印刷するように前記印刷部及び前記搬送部を制御する制御部と」における「及び前記搬送部」を除いた「前記表示部に表示された識別コードに対応する前記画像データを印刷するように前記印刷部を制御する制御部と」に対応する。
　しかしながら、本件発明２は、第１に、（Ｅ）の「前記サムネイル画像データに基づいて紙1枚につき複数のサムネイル画像及びそれぞれのサムネイル画像に対応する識別コードを印刷するように前記印刷部及び前記搬送部を制御し」、且つ、（Ｆ）の「前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし」、更に、（Ｇ）の「前記表示部に表示された識別コードに対応する前記画像データを印刷するように前記印刷部及び前記搬送部を制御する」という「制御部」を備えているものであるのに対し、刊行物６の発明は、これらの（Ｅ）、（Ｆ）、及び（Ｇ）の全ての事項に併せ対応する事項について規定しているものではない。
　第２に、本件発明２の（Ｈ）の「前記制御部は、前記データ取得部が前記記録媒体からサムネイル画像データを取得するときは当該サムネイル画像データに基づいて粗い画質で高速印刷するように前記印刷部及び搬送部を制御し、前記データ取得部が前記表示部に表示された識別コードに対応する前記画像データを前記記録媒体から取得するときは、当該画像データに基づいて高画質で印刷するように前記印刷部及び搬送部を制御すること」に対応する事項は、刊行物６には記載されていない。
　第３に、本件発明２がその（Ａ）の「前記印刷部に紙を搬送する搬送部」を備えているものであるのに対し、刊行物１の発明はそのように規定しているものではない。また、本件発明２がその（Ｄ）の「前記表示された識別コードを切り替える画像選択手段」を備え、その（Ｅ）、（Ｆ）、及び（Ｇ）において「搬送部」を制御対象としているものであるのに対し、刊行物６の発明はそのように規定しているものではない。
　そうすると、双方の発明は、「印刷を行う印刷部を備えるプリンタであって、脱着可能な記録媒体に保存されている画像データ及びサムネイル画像データを取得するデータ取得部と、前記画像データの識別コードを表示する表示部と、前記表示された識別コードを切り替える画像選択手段と、前記サムネイル画像データに基づいて紙1枚につき複数のサムネイル画像及びそれぞれのサムネイル画像に対応する識別コードを印刷するように前記印刷部を制御し、前記識別コードを前記表示部に表示させて前記表示された識別コードに対応する前記画像データを前記印刷部で印刷可能な状態であって前記表示部に表示された識別コードを前記画像選択手段で切り替え可能な状態にし、前記表示部に表示された識別コードに対応する前記画像データを印刷するように前記印刷部を制御する制御部と、を備えるプリンタ。」である点で一致し、次の点において相違する。
（相違点）
　第１に、本件発明２が、（Ｆ）の「前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし」の事項を備えているものであるのに対し、刊行物６の発明がそのように規定しているものではない点（以下、「相違点１」という。）。
　第２に、本件発明２が、（Ｈ）の「前記制御部は、前記データ取得部が前記記録媒体からサムネイル画像データを取得するときは当該サムネイル画像データに基づいて粗い画質で高速印刷するように前記印刷部及び搬送部を制御し、前記データ取得部が前記表示部に表示された識別コードに対応する前記画像データを前記記録媒体から取得するときは、当該画像データに基づいて高画質で印刷するように前記印刷部及び搬送部を制御すること」を備えているものであるのに対し、刊行物６の発明がそのように規定しているものではない点（以下、「相違点２」という。）。
　第３に、プリンタが備える「搬送部」について、
ａ．本件発明２が、（Ａ）の「前記印刷部に紙を搬送する搬送部」を備えるものであるのに対し、刊行物６の発明がそのように規定しているものではない点。
ｂ．本件発明２が、（Ｅ）の「前記サムネイル画像データに基づいて紙1枚につき複数のサムネイル画像及びそれぞれのサムネイル画像に対応する識別コードを印刷する」際に併せて「搬送部」をも制御するものであるのに対し、刊行物６の発明がそのように規定しているものではない点。
ｃ．本件発明２が、（Ｆ）の「前記識別コードを前記表示部にデフォルト表示させて前記表示された識別コードに対応する前記画像データを前記印刷部で印刷可能な状態であって前記表示部に表示された識別コードを前記画像選択手段で切り替え可能な状態にし」の事項に併せて更に「及び前記搬送部で印刷可能な状態であって」と規定しているものであるのに対し、刊行物６の発明がそのように規定しているものではない点。
ｄ．本件発明２が、（Ｇ）の「前記表示部に表示された識別コードに対応する前記画像データを印刷するように前記印刷部を制御する制御部と」の事項に併せて更に「及び前記搬送部を制御する制御部と」と規定しているものであるのに対し、刊行物６の発明がそのように規定しているものではない点（以下、ａ．〜ｄ．を総称して「相違点３」という。）。
　これらの相違点について検討する。
　まず、相相違３について検討すると、一般に、プリンタにおいては記録紙を搬送する手段は常用であり、且つ、刊行物２（特開平８ー３０７５８９号公報）において『記録紙を搬送するベルト１２７』（段落【００３３】）と記載されているように周知のものであるから、当業者が相違点１のａ．〜ｄ．について想到することが困難であるとは認められない。
　次に、相違点１、２について検討する。
　刊行物１〜５の発明は、上記相違点１については、前示のＢ−１．において説示したとおり、当業者が相違点１を想到するに当たって起因ないし契機となる事項を備えているものではなく、また、上記相違点２については、刊行物１〜５には記載乃至示唆すら認めることはできない。
　そして、本件発明２は、上記の一致点及び相違点の事項を備えることにより「記録媒体に保存された画像データの識別コードが表示部にデフォルト表示され、当該表示された識別コードに対応する画像データを印刷可能であって且つ表示部に表示された識別コードを画像選択手段で切り替え可能な状態に制御されつつ、「１コマ印刷キーを押して１コマずつ印刷するとき、印刷進行中に次に印刷したい写真の識別コードの指定を連続して行うことができる。このため、複数コマの焼き増しを行うときに１コマごとに印刷が終わるのを待って次に印刷する画像の識別コードの指定をする必要がなく、快適に連続印刷を実行することができる。」（段落【００５９】）、「第１制御方式によりサムネイル画像を呼び出して印刷することができるため、画像を短時間で印刷することができ（段落【００６０】）、印刷する画像を指定するためのインデックスを単体で印刷して識別コードを設定することができるので、プリンタ単体で印刷する画像を指定することができ（段落【００６１】）、第１制御方式によりサムネイル画像を呼び出してインデックスを印刷することができるため、プリンタ単体で印刷する画像を短時間で指定することができ（段落【００６２】）、パソコンに接続して印刷する画像を指定する必要がないため、パソコンの扱いに慣れていないユーザがデジタルカメラ等によって記録した画像を容易に印刷することができる。また、テレビに接続して印刷する画像を指定する煩わしさがなく、手軽に撮影した画像データを印刷することができる（段落【００６３】）」という効果を奏することができるものである。
　そうとすると、本件発明２は、刊行物１〜６に記載された発明に基づいて当業者が想到することができたものではない。
（５）まとめ
　したがって、本件の請求項１に係る発明は、その出願前その発明の属する技術の分野における通常の知識を有する者がその出願前国内において頒布された刊行物（再公表特許国際公開番号ＷＯ９６／２７２５８号公報、特開平８−３０７５８９号公報、特開平１−２２３５３０号公報、特開平８−３２９１１号公報、特開平５ー１７６１５８号公報）に記載された発明に基づいて、
　また請求項２に係る発明は、同じく出願前その発明の属する技術の分野における通常の知識を有する者がその出願前国内において頒布された刊行物（再公表特許国際公開番号ＷＯ９６／２７２５８号公報、特開平８−３０７５８９号公報、特開平１−２２３５３０号公報、特開平８−３２９１１号公報、特開平５ー１７６１５８号公報、及び特開平１０−１２６７２４号公報）に記載された発明に基いて、いずれも容易に発明をすることができたものではないと認められる。
５．むすび
　以上のとおりであるから、本件の訂正請求については、これを認め、本件の特許異議申立てについては、特許異議申立人の証拠及び理由によっては本件の請求項１，２に係る発明の特許を取り消すことはできず、また、他に本件の請求項１，２に係る発明の特許を取り消すべき理由を発見しない。
　　　よって、結論のとおり決定する。
【異議決定日】
平成１５年４月１５日（２００３．４．１５）
【訂正の要旨】
ａ．特許第３１２５９２４号発明の明細書（以下本件明細書という。）中の８ヶ所に「プリンタ、印刷方法及び記録媒体」とあるのを、明りょうでない記載の釈明を目的として全て「プリンタ」と訂正する。
ｂ．本件明細書中の請求項３から７を、特許請求の範囲の減縮を目的として削除する。
ｃ．本件明細書中の請求項１において「記録媒体に保存されているサムネイル画像データを取得する」とあるのを、特許請求の範囲の減縮を目的として「記録媒体に保存されている画像データ及びサムネイル画像データを取得する」と訂正する。
ｄ．本件明細書中の請求項１における「データ取得部と、」と「前記サムネイル画像データに基づいて」との間に、特許請求の範囲の減縮を目的として「前記画像データの識別コードを表示する表示部と、」を挿入し、
ｅ．さらにその後に、特許請求の範囲の減縮を目的として「前記表示された識別コードを切り替える画像選択手段と、」を挿入する。
ｆ．本件明細書中の請求項１において「１枚の紙に」とあるのを、明りょうでない記載の釈明を目的として「紙１枚につき」と訂正する。
ｇ．本件明細書中の請求項１において「前記印刷部及び搬送部を制御する制御部と、」とあるのを、特許請求の範囲の減縮を目的として「前記印刷部及び搬送部を制御し、前記識別コードを前記表示部にデフォルト表示させて前記表示された識別コードに対応する前記画像データを前記印刷部及び前記搬送部で印刷可能な状態であって前記表示部に表示された識別コードを前記画像切り替え手段で切り替え可能な状態にし、前記表示部に表示された識別コードに対応する前記画像データを印刷するように前記印刷部及び前記搬送部を制御する制御部と、」と訂正する。
ｈ．本件明細書中の請求項２において「前記データ取得部は、前記記録媒体から画像データを取得し、前記制御部は、前記データ取得部の画像データに基づいて前記印刷部及び搬送部を制御する」とあるのを、特許請求の範囲の減縮を目的として、「前記制御部は、前記データ取得部が前記記録媒体からサムネイル画像データを取得するときは当該サムネイル画像データに基づいて粗い画質で高速印刷するように前記印刷部及び搬送部を制御し、前記データ取得部が前記表示部に表示された識別コードに対応する前記画像データを前記記録媒体から取得するときは、当該画像データに基づいて高画質で印刷するように前記印刷部及び搬送部を制御する」と訂正する。
ｉ．本件明細書中の段落００１２において「本発明の請求項１記載のプリンタによると、・・・指定することができる。」とあるのを、明りょうでない記載の釈明を目的として、「本発明の請求項１記載のプリンタによると、印刷を行う印刷部と、前記印刷部に紙を搬送する搬送部とを備えるプリンタであって、脱着可能な記録媒体に保存されている画像データ及びサムネイル画像データを取得するデータ取得部と、前記画像データの識別コードを表示する表示部と、前記表示された識別コードを切り替える画像選択手段と、前記サムネイル画像データに基づいて紙１枚につき複数のサムネイル画像及びそれぞれのサムネイル画像に対応する識別コードを印刷するように前記印刷部及び搬送部を制御し、前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、前記表示部に表示された識別コードに対応する前記画像データを印刷するように前記印刷部及び前記搬送部を制御する制御部と、を備えることを特徴とする。」と訂正する。
ｊ．本件明細書中の段落００１３において「本発明の請求項２記載のプリンタによると、・・・高画質の画像を印刷することができる。」とあるのを、明りょうでない記載の釈明を目的として、「前記制御部は、前記データ取得部が前記記録媒体からサムネイル画像データを取得するときは当該サムネイル画像データに基づいて前記印刷部及び前記搬送部に粗い画質で高速印刷させ、前記データ取得部が前記表示部に表示された識別コードに対応する前記画像データを前記記録媒体から取得するときは、当該画像データに基づいて前記印刷部及び搬送部に高画質で印刷させることを特徴とする。」と訂正する。
ｋ．本件明細書中の段落００１４、００１５、００１７、００１８の記載全部を、明りょうでない記載の釈明を目的として、削除する。
ｌ．本件明細書中の段落００４０に「第２制御方式とは、電子データに含まれるサムネイル画像データに基づいて高画質で印刷する制御方式である。」とあるのを、誤記の訂正を目的として「第２制御方式とは、電子データに含まれる画像データに基づいて高画質で印刷する制御方式である。」と訂正する。
（５４）【発明の名称】
プリンタ
（５７）【特許請求の範囲】
　【請求項１】　印刷を行う印刷部と、前記印刷部に紙を搬送する搬送部とを備えるプリンタであって、
　脱着可能な記録媒体に保存されている
画像データ及び
　
前記画像データの識別コードを表示する表示部と、
　
前記表示された識別コードを切り替える画像選択手段と、
　前記サムネイル画像データに基づいて
紙１枚につき
し、前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、前記表示部に表示された識別コードに対応する前記画像データを印刷するように前記印刷部及び前記搬送部を制御する
を備えることを特徴とするプリンタ。
　【請求項２】　
前記制御部は、前記データ取得部が前記記録媒体からサムネイル画像データを取得するときは当該サムネイル画像データに基づいて粗い画質で高速印刷するように前記印刷部及び搬送部を制御し、
前起表示部に表示された識別コードに対応する前記画像データを前記記録媒体から取得するときは、当該
高画質で印刷するように
【発明の詳細な説明】
　【０００１】
　【発明の属する技術分野】
　本発明は
プリンタ
プリンタ
　【０００２】
　【従来の技術】
　近年、デジタルカメラの普及に伴い、デジタルカメラによって記録した画像を紙面に印刷する事が頻繁に行われるようになった。一般に画像を保存したデータは容量が大きいため印刷するのに長時間かかる。多くのプリンタはパソコンに接続することにより画質を調整することができるため、画質を粗く設定することによって画像を印刷する時間をある程度短縮することができる。
　【０００３】
　また、デジタルカメラによって記録された画像を印刷する専用のプリンタが市場に供給されている。このようなプリンタによると、テレビに接続してテレビ画面上で印刷条件を設定することができるため、パソコンに接続しなくても画質を粗く設定することによって画像を印刷する時間をある程度短縮することができる。
　【０００４】
　【発明が解決しようとする課題】
　しかし、画質を粗く設定することによって画像を印刷する時間を短縮する従来のプリンタにおいて読み込まれるデータは画像データである。したがって、読み込まれる画像データの容量が大きいため、印刷する時間を大幅に短縮することはできない。
　【０００５】
　また、パソコンに接続しなければ印刷条件を設定することができないプリンタにおいては、パソコンの取り扱いに不慣れなユーザにとってデジタルカメラ等によって記録した画像を紙面上に印刷することは困難であるという問題があった。
　【０００６】
　また、記録した画像をテレビ画面に映し出して印刷条件を設定するプリンタによると、テレビに接続しなければ印刷条件を設定することができず、デジタルカメラによって記録した画像を印刷するのに手間がかかるという問題があった。
　【０００７】
　本発明は、上記の問題を解決するために案出されたものであり、デジタルカメラ等によって記録した画像について、画像を高速で印刷できる
プリンタ
　【０００８】
　本発明の別の目的は、デジタルカメラ等によって記録した画像について、印刷条件を単体で設定して印刷できる
プリンタ
　【０００９】
　本発明のまた別の目的は、デジタルカメラ等によって記録した画像について、印刷する画像を短時間に指定することができる
プリンタ
　【００１０】
　本発明のまた別の目的は、パソコンの取り扱いに不慣れなユーザがデジタルカメラ等によって記録した画像を容易に印刷できる
プリンタ
　【００１１】
　本発明のまた別の目的は、デジタルカメラ等によって記録した画像を印刷するのに手間のかからない
プリンタ
　【００１２】
　【課題を解決するための手段】
　本発明の請求項１記載のプリンタによると、
印刷を行う印刷部と、前記印刷部に紙を搬送する搬送部とを備えるプリンタであって、脱着可能な記録媒体に保存されている画像データ及びサムネイル画像データを取得するデータ取得部と、前記画像データの識別コードを表示する表示部と、前記表示された識別コードを切り替える画像選択手段と、前記サムネイル画像データに基づいて紙１枚につき複数のサムネイル画像及びそれぞれのサムネイル画像に対応する識別コードを印刷するように前記印刷部及び搬送部を制御し、前記識別コードを前記表示部にデフォルト表示させて前記表示された識別コードに対応する前記画像データを前記印刷部及び前記搬送部で印刷可能な状態であって前記表示部に表示された識別コードを前記画像選択手段で切り替え可能な状態にし、前記表示部に表示された識別コードに対応する前記画像データを印刷するように前記印刷部及び前記搬送部を制御する制御部と、を備えることを特徴とする。
　【００１３】
　本発明の請求項２記載のプリンタによると、
前記制御部は、前記データ取得部が前記記録媒体からサムネイル画像データを取得するときは当該サムネイル画像データに基づいて前記印刷部及び前記搬送部に粗い画質で高速印刷させ、前記データ取得部が前記表示部に表示された識別コードに対応する前記画像データを前記記録媒体から取得するときは、当該画像データに基づいて前記印刷部及び搬送部に高画質で印刷させることを特徴とする。
　【００１４】
　【００１５】
　【００１６】
　【００１７】
　【００１８】
　【００１９】
　【発明の実施の形態】
　以下、本発明の実施の形態を示す一実施例を図面に基づき詳細に説明する。
　【００２０】
　本発明の一実施例によるプリンタは、図１に示すように、搬送部１と、印刷部２と、制御部３と、表示部４と、入力部５と、ガイド部６と、第１データ取得部７と、第２データ取得部８とを有する。搬送部１と、印刷部２と、制御部３と、表示部４と、入力部５と、ガイド部６と、第１データ取得部７と、第２データ取得部８とは箱型のハウジング９に備えられる。本実施例によるプリンタは、第１データ取得部７又は第２データ取得部８から取得した電子データを制御部３によって駆動される印刷部２において印刷することが可能である。
　【００２１】
　ハウジング９は、図２に示すように、上面に表示部４及び入力部５を備え、前面に第１データ取得部７と電源スイッチ９１とインク切れや用紙切れを知らせる警告ランプ９２とガイド部６とを備え、背面に図示しない第２データ取得部８を備え、内部に図示しない搬送部１と、印刷部２と、制御部３とを備える。ハウジング９の上面と前面下部には、それぞれ用紙供給口９３と用紙排出口９４とが形成される。用紙供給口９３には用紙トレー９５が、用紙排出口９４には用紙受け９６がそれぞれ取り外し可能に係止される。
　【００２２】
　図示しない搬送部１は、用紙供給口９３と用紙排出口９４の間のハウジング９内部に備えられ、モータにより駆動される搬送ローラと、搬送ローラに接触して摩擦により用紙を搬送する従動ローラとを有する。搬送ローラと従動ローラとは、ゴムなどの滑りにくい材料からなる。搬送部１は、搬送ローラと従動ローラが回転することにより、用紙供給口９３から用紙排出口９４に用紙を搬送する機構である。
　【００２３】
　図示しない印刷部２は、搬送部１に隣接して備えられ、インクタンクとインクジェットヘッドを搭載したキャリッジと、ステップモータと、用紙の搬送される方向と直行する方向に備えられるキャリッジレールとを有する。印刷部２は、公知のインクジェット方式により印刷を行う。詳しくは、用紙と対向する位置でステップモータにより駆動されるキャリッジがキャリッジレール上を往復移動し、搬送部１によって搬送される用紙にインクジェットヘッドからインクタンク内のインクを噴射して印刷を行う。なお、印刷部２としてレーザ方式やドットインパクト方式等を用いることも可能である。
　【００２４】
　図示しない制御部３は、ＣＰＵと、制御用プログラムが記録されたＲＯＭと、画像データ及びサムネイル画像データを含む電子データを一時的に保存するメモリとを有する。制御部３は、第１データ取得部７又は第２データ取得部８から取得した電子データから種々の情報を取り出して表示部４に表示し又はガイド部６を駆動してユーザインターフェースを提供し、並びに入力部５の入力を判断し、並びに印刷部２で印刷を行うための制御を行う。
　【００２５】
　入力部５はハウジング９上面に備えられ、図３に示すように、キーパネル５０上に種々のキーを有する。
　【００２６】
　プリント開始キー５０１は、キーパネル５０の最も手前すなわち第１データ取得部７に近い側に備えられ、すべてのキーの中で最も大きく目立つ外観を有し、操作面は透明の材料からなり操作面の内側に図示しないＬＥＤ（ｌｉｇｈｔｅｍｉｔｔｅｄｄｉｏｄｅ）が備えられる。このＬＥＤは、印刷開始が可能な状態で点滅するように制御される。プリント開始キー５０１は、表示部４に表示さ止る印刷設定に対応する印刷指定信号等を制御部３に伝送して、印刷を開始させるキーである。
　【００２７】
　切換手段としての機能を備えた全印刷キー５０２及びインデックスキー５０３は、キーパネル５０の最も手前にプリント開始キー５０１と並んで備えられ、全てのキーの中でプリント開始キー５０１に次いで大きく、角の丸まった長方形の形状を有し、操作面は透明の材料からなりそれぞれの操作面の内側に図示しないＬＥＤが備えられる。
　【００２８】
　範囲指定キー５０５及び１コマキー５０４は、全印刷キー５０２とインデックスキー５０３の奥に並んで備えられ、それらに比べて一回り小さい楕円形状を有し、操作面は透明の材料からなりそれぞれの操作面の内側に図示しないＬＥＤが備えられる。
　【００２９】
　全印刷キー５０２、インデックスキー５０３、範囲指定キー５０５及び１コマキー５０４は、そのうちのいずれか１つを選択できるキーであって、選択されているキーのＬＥＤが発光する。
　【００３０】
　上キー５０６と下キー５０７とは、１コマキー５０４の奥すなわち表示部４に近い側に縦に並んで備えられ、それぞれ線対称な三角形状を有する。
　【００３１】
　画像選択手段及び切換手段としての機能を兼ね備えた右キー５０９及び左キー５０８は、上キー５０６と下キー５０７に隣接してプリント開始キー５０１の奥に横に並んで備えられ、それぞれ線対称な三角形状を有する。右キー５０９及び左キー５０８は、表示部４の各セクションにおける印刷条件の細目を変更する。
　【００３２】
　表示部４は、ハウジング９上面に入力部５の奥に隣接して備えられる。表示部４は、セグメント式の液晶パネルで、選択セクション４０１、用紙種類セクション４０２、用紙サイズセクション４０３、レイアウトセクション４０４、写真サイズセクション４０５、写真選択セクション４０６、枚数セクション４０７、画質セクション４０８及び自動調整セクション４０９に分かれている。液晶パネルの全セグメントを点燈させた状態を図３に示す。表示部４で選択される表示内容は、プリント開始キー５０１が押圧されることによって制御部３に伝送される。
　【００３３】
　選択セクション４０１は、上キー５０６と下キー５０７によって、他のセクションを選択的に指し示す三角形を表示してそのセクションをアクティブにするセクションである。アクティブなセクションでは、右キー５０９と左キー５０８によって表示を切り替えることが可能である。
　【００３４】
　用紙種類セクション４０２は、普通紙、フォトプリント紙及びスーパーファイン紙に表示が切り替わるセクションである。
　【００３５】
　用紙サイズセクション４０３は、はがき、フォトカード及びＡ４に表示が切り替わるセクションである。
　【００３６】
　レイアウトセクション４０４は、上寄り、下寄り、中央、全体、インデックス及び切り取りガイド付き等に表示が切り替わるセクションである。切り取りガイド付きが選択されると画像にトンボを付して印刷することが可能である。
　【００３７】
　写真サイズセクション４０５は、４Ｌ、２Ｌ、４×６、Ｌ、Ｅ及びカードに表示が切り替わるセクションである。写真サイズセクション４０５の表示は、用紙サイズとレイアウトの設定によって決定される。
　【００３８】
　写真選択セクション４０６は、主に記録媒体に記録されている画像データの総数と印刷する画像を指定する０から１９９までの識別コードとしての数字を表示するセクションである。
　【００３９】
　枚数セクション４０７は、主に印刷枚数として０から１９９までの数字を表示するセクションである。
　【００４０】
　画質セクション４０８は、高画質、高速、超高画質に表示が切り替わるセクションである。高速が選択されるとき、制御部３は第１制御方式によって印刷部２及び搬送部１を制御する。高画質、超高画質が選択されるとき、制御部３は第２制御方式によって印刷部２及び搬送部１を制御する。第１制御方式とは、電子データに含まれるサムネイル画像データに基づいて粗い画質で高速印刷する制御方式であり、第２制御方式とは、電子データに含まれる
画像データ
　【００４１】
　自動調整セクション４０９は、オートフォトファインとなしに表示が切り替わるセクションである。オートフォトファインが選択されると、写真画像が自動画質調整されて印刷される。
　【００４２】
　ガイド部６は、ハウジング９前面下方に備えられる。ガイド部６は制御部３によって駆動されるスピーカ６１を有し、ＲＯＭから読み出す音声データを音声として出力する。
　【００４３】
　第１データ取得部７は、図２に示すようにハウジング９前面上方に備えられ、力ードスロット７１と、記録媒体に記録されたサムネイル画像データや画像データを含む電子データを読み出して制御部３に伝送する図示しないリーダとを有する。カードスロット７１には、記録媒体としてＰＣＭＣＩＡ規格のメモリカード、又は一般にデジタルカメラに用いられているコンパクトフラッシュカード等の記録媒体をアダプタとともに挿入することができる。
　【００４４】
　図示しない第２データ取得部８は、ハウジング９背面に備えられ、複数のコネクタを有する。第２データ取得部８は、パソコン或いはデジタルカメラと接続するときのインターフェースであり、それらの外部接続機器から取り出した電子データを制御部３に伝送する。
　【００４５】
　以下、上述のプリンタの作動及び印刷方法について説明する。プリンタの印刷は、説明上、通常プリント、ワンタッチプリント、ツータッチプリント、焼き増しプリント及び詳細設定プリントに区分される。
　【００４６】
　電源スイッチ９１をオンにすると、制御用プログラムが立ち上がり、ガイド部６から「カードを挿入してください。」等の電子データを記録した記録媒体（以下メモリカード）の挿入を促す音声を発する。
　【００４７】
　（１）　通常プリント
　制御部３は第１データ取得部７と第２データ取得部８の両方の電子データを監視しており、最先の電子データを優先的に処理する。このため、第２データ取得部８にケーブルでパソコンが接続されてパソコンから印刷指示があると、表示部４の表示は消え、以降パソコンの制御によってプリンタは駆動される。
　【００４８】
　（２）　ワンタッチプリント
　電源スイッチ９１をオンにした後、カードスロット７１に写真画像を記録したメモリカードを挿入すると、プリント開始キー５０１が点滅し、全印刷キー５０２が点燈する。表示部４には、図４に示すように制御用プログラムのデフォルトの設定として、用紙種類セクション４０２にフォトプリント紙、用紙サイズセクション４０３にはがき、レイアウトセクション４０４に全体、写真サイズセクション４０５にＬ、画質セクション４０８に高画質、自動調整セクション４０９にオートフォトファイン及び写真選択セクション４０６にメモリカードから読み出した画像データの総数が表示され、枚数セクション４０７に印刷枚数として１枚が表示される。制御部３は、高画質の画質が選択されているため、第２制御方式によって電子データに含まれる画像データに基づいて印刷部２及び搬送部１を制御する。
　【００４９】
　カードスロット７１にメモリカードを挿入した後、点滅しているプリント開始キー５０１を押すと表示部４の表示にしたがってメモリカードに記録された画像データがすべて１枚ずつ印刷される。このようにして印刷することを以後ワンタッチプリントとする。
　【００５０】
　（３）　ツータッチプリント
　カードスロット７１にメモリカードを挿入した後、インデックスキー５０３を押すと全印刷キー５０２が消え、インデックスキー５０３が点燈する。そして表示部４には、図５に示すように制御用プログラムのデフォルトの設定として、用紙種類セクション４０２にフォトプリント紙、用紙サイズセクション４０３にはがき、レイアウトセクション４０４にインデックス、画質セクション４０８に高速及び写真選択セクション４０６にメモリカードから読み出した画像データの総数が表示され、枚数セクション４０７に印刷枚数として１が表示される。
　【００５１】
　制御部３は、高速の画質が選択されているため、第１制御方式によって、電子データに含まれるサムネイル画像データに基づいて印刷部２及び搬送部１を制御する。
　【００５２】
　カードスロット７１にメモリカードを挿入しインデックスキー５０３を押した後、点滅しているプリント開始キー５０１を押すとメモリカードに記録されたサムネイル画像データを読み出し、表示部４の表示にしたがって図６に示すように、はがきサイズの用紙１枚につき縦４列横４列に１６コマの画像に識別コード１０２を付してインデックスとして印刷する。サムネイル画像データを読み出して印刷するため印刷スピードは非常に高速である。このようにして印刷することを以後ツータッチプリントという。
　【００５３】
　（４）　焼き増しプリント
　ツータッチプリントによってインデックスを印刷した後、１コマキー５０４を押すとインデックスキー５０３が消え、１コマキー５０４が点燈する。そして表示部４には、図７に示すように制御用プログラムのデフォルトの設定として、用紙種類セクション４０２にフォトプリント紙、用紙サイズセクション４０３にはがき、レイアウトセクション４０４に全体、写真サイズセクション４０５にＬ、画質セクション４０８に高画質、自動調整セクション４０９にオートフォトファイン及び写真選択セクション４０６と枚数セクション４０７に１が表示される。このとき、写真選択セクション４０６がアクティブである。
　【００５４】
　次に、右キー５０９又は左キー５０８を操作してインデックスに印刷された画像のうち印刷したい画像の識別コードを写真選択セクション４０６で指定する。制御部３は、高画質の画質が選択されているため、第２制御方式によって電子データに含まれる画像データに基づいて印刷部２及び搬送部１を制御する。点滅しているプリント開始キー５０１を押すと、指定した識別コードに対応する画像が表示部４に表示された設定によって印刷される。
　【００５５】
　また、ツータッチプリントによってインデックスを印刷した後、範囲指定キー５０５を押すとインデックスキー５０３が消え、範囲指定キー５０５が点燈する。そして表示部４には、図８に示すように制御用プログラムのデフォルトの設定として、用紙種類セクション４０２にフォトプリント紙、用紙サイズセクション４０３にはがき、レイアウトセクション４０４に全体、写真サイズセクション４０５にＬ、画質セクション４０８に高画質、自動調整セクション４０９にオートフォトファイン及び写真選択セクション４０６に最初のコマとして１が表示され、枚数セクション４０７に最後のコマとしてメモリカードから読み出した画像データの総数が表示される。このとき、写真選択セクション４０６がアクティブである。
　【００５６】
　次に、写真選択セクション４０６で右キー５０９又は左キー５０８を操作してインデックスに印刷された画像のうち印刷したい範囲の最初の画像の識別コードを指定する。さらに下キー５０７を操作して枚数セクション４０７をアクティブにし、右キー５０９又は左キー５０８を操作してインデックスに印刷された画像のうち印刷したい範囲の最後の画像の識別コードを指定する。制御部３は、高画質の画質が選択されているため、第２制御方式によって電子データに含まれる画像データに基づいて印刷部２及び搬送部１を駆動する。点滅しているプリント開始キー５０１を押すと、範囲指定した識別コードに対応する画像が表示部４に表示された設定によって印刷される。
　【００５７】
　ツータッチプリントによってインデックスを印刷した後、１コマキー５０４または範囲指定キー５０５を押して印刷することを以後焼き増しプリントという。
　【００５８】
　（５）　詳細設定プリント
　上述のワンタッチプリント、ツータッチプリント、焼き増しプリント及びカメラ指定プリントにおいて、上キー５０６または下キー５０７を操作して印刷条件を変更したいセクションを選択し、各セクションにおいて用紙種類、用紙サイズ、画質、自動調整等の設定を変更して任意の印刷条件を設定した後にプリント開始キー５０１を押して印刷することも可能である。例えば、ツータッチプリントにおいて、画質セクション４０８をアクティブにして高画質を選択すると、第２制御方式のもとで電子データに含まれる画像データに基づいて印刷を行い高画質のインデックスを印刷することができる。このように、任意の印刷条件を設定した後にプリント開始キー５０１を押して印刷することを以後詳細設定プリントという。
　【００５９】
　一方、プリント開始キー５０１を押して印刷が進行中であっても次の印刷の設定をすることが可能である。例えば、焼き増しプリントにおいて、１コマ印刷キーを押して１コマずつ印刷するとき、印刷進行中に次に印刷したい写真の識別コードの指定を連続して行うことができる。このため、複数コマの焼き増しを行うときに１コマごとに印刷が終わるのを待って次に印刷する画像の識別コードの指定をする必要がなく、快適に連続印刷を実行することが可能である。
　【００６０】
　本実施例のプリンタによると、第１制御方式によりサムネイル画像データを呼び出して印刷することができるため、画像を短時間で印刷することができる。
　【００６１】
　また、印刷する画像を指定するためのインデックスを単体で印刷して識別コードを設定することができるので、プリンタ単体で印刷する画像を指定することができる。
　【００６２】
　また、第１制御方式によりサムネイル画像を呼び出してインデックスを印刷することができるため、プリンタ単体で印刷する画像を短時間で指定することができる。
　【００６３】
　また、パソコンに接続して印刷する画像を指定する必要がないため、パソコンの扱いに慣れていないユーザがデジタルカメラ等によって記録した画像を容易に印刷することができる。また、テレビに接続して印刷する画像を指定する煩わしさがなく、手軽に撮影した画像データを印刷することができる。
　【００６４】
　本実施例においては、プリンタを制御する制御用プログラムは予めＲＯＭに記録されているものとして説明されたが、この制御用プログラムは記録媒体に記録された制御用プログラムをプリンタにダウンロードすることによって提供されるものであってもよい。
【図面の簡単な説明】
　【図１】
　本発明の実施例によるプリンタを示すブロック図である。
　【図２】
　本発明の実施例によるプリンタを示す斜視図である。
　【図３】
　本発明の実施例における表示部と入力部を示す平面図である。
　【図４】
　本発明の実施例における表示部と入力部を示す平面図である。
　【図５】
　本発明の実施例における表示部と入力部を示す平面図である。
　【図６】
　本発明の実施例におけるインデックスを示す模式図である。
　【図７】
　本発明の実施例における表示部と入力部を示す平面図である。
　【図８】
　本発明の実施例における表示部と入力部を示す平面図である。
　【符号の説明】
　１　搬送部
　２　印刷部
　３　制御部
　４　表示部
　７　第１データ取得部
　１０２　識別コード
　４０６　写真選択セクション
　４０８　画質選択セクション
　５０２　全印刷キー
　５０３　インデックスキー
　５０８　右キー
　５０９　左キー